(57)【特許請求の範囲】
【請求項１】
無線通信システムにおいて端末の下りリンク制御チャネルをモニタリングする方法であって、
チャネル状態情報（ＣＳＩ）測定に関連した設定を受信するステップと、
上位層シグナリングを介して物理下りリンク共有チャネル（ＰＤＳＣＨ）リソースエレメントマッピングのためのパラメータに基づいたいくつかのサブフレームセットの特定サブフレームセット上で下りリンク制御チャネルをモニタリングするステップを有し、
前記受信した設定が一つのサービングセルに対して実行される異なるＣＳＩ測定での複数のサブフレームセットを示す時、前記パラメータは、一つ又はそれ以上のゼロパワーチャネル状態情報参照信号（ＣＳＩ−ＲＳ）を含む、下りリンク制御チャネルモニタリング方法。
【請求項２】
前記受信した設定が、前記複数のサブフレームセットを示す時、前記複数のサブフレームセットは、複数の異なる向上した物理下りリンク制御チャネル（ＥＰＤＣＣＨ）セットと連動する、請求項１に記載の下りリンク制御チャネルモニタリング方法。
【請求項３】
前記特定サブフレームセットは、前記端末が前記特定のサブフレームセットと対応する時点に下りリンク通信のために設定された上りリンク−下りリンク（ＵＬ−ＤＬ）設定とＱＣＬ（quasi co-located）した特定ＥＰＤＣＣＨセットをモニタリングするために、設定されている、請求項２に記載の下りリンク制御チャネルモニタリング方法。
【請求項４】
前記特定のサブフレームセットを示す情報を含む再設定メッセージを受信するステップを更に含む、請求項１に記載の下りリンク制御チャネルモニタリング方法。
【請求項５】
無線通信システムにおいて下りリンク制御チャネルをモニタリングする端末であって、
無線周波数ユニット（Ｒａｄｉｏ  Ｆｒｅｑｕｅｎｃｙ  Ｕｎｉｔ）と、
プロセッサと、
を備え、
前記プロセッサは、前記無線周波数ユニットと接続され、
チャネル状態情報（ＣＳＩ）測定に関連した設定を受信し、上位層シグナリングを介して、物理下りリンク共有チャネル（ＰＤＳＣＨ）リソースエレメントマッピングのためのパラメータに基づいた複数のサブフレームセットの特定サブフレームセット上で下りリンク制御チャネルをモニタリングするように構成され、
前記受信した設定が一つのサービングセルに対して実行される異なるＣＳＩ測定での複数のサブフレームセットを示す時、前記パラメータは、一つ又はそれ以上のゼロパワーチャネル状態情報参照信号（ＣＳＩ−ＲＳ）を含む、端末。
【請求項６】
前記受信した設定が、前記複数のサブフレームセットを示す時、前記複数のサブフレームセットは、複数の異なる向上した物理下りリンク制御チャネル（ＥＰＤＣＣＨ）セットと連動する、請求項５に記載の端末。
【請求項７】
前記特定サブフレームセットは、前記端末が前記特定のサブフレームセットと対応する時点に下りリンク通信のために設定された上りリンク−下りリンク（ＵＬ−ＤＬ）設定とＱＣＬ（quasi co-located）した特定ＥＰＤＣＣＨセットをモニタリングするために、設定されている、請求項６に記載の端末。
【請求項８】
前記プロセッサは、前記特定のサブフレームセットを示す情報を含む再設定メッセージを受信するようにさらに構成された、請求項５に記載の端末。
【発明の詳細な説明】
【技術分野】
【０００１】
本発明は、無線通信システムに関し、特に、無線通信システムにおいて下りリンク制御チャネルモニタリング方法及びそのための装置に関する。
【背景技術】
【０００２】
本発明を適用できる無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照することができる。
【０００４】
図１を参照すると、Ｅ−ＵＭＴＳは、端末（Ｕｓｅｒ  Ｅｑｕｉｐｍｅｎｔ：ＵＥ）、基地局（ｅＮｏｄｅＢ：ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ：ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に下り又は上り送信サービスを提供する。異なったセルは、互いに異なった帯域幅を提供するように設定することができる。基地局は、複数の端末に関するデータ送受信を制御する。下りリンク（Ｄｏｗｎｌｉｎｋ：ＤＬ）データについて、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ：ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ：ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥまで開発されているが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
本発明の目的は、無線通信システムにおいて下りリンク制御チャネルをモニタリングする方法及びそのための装置を提供することにある。
【０００８】
本発明で遂げようとする技術的課題は、上記の技術的課題に制限されず、言及していない他の技術的課題は、以下の記載から、本発明の属する技術の分野における通常の知識を有する者には明確に理解されるであろう。
【課題を解決するための手段】
【０００９】
上述した問題点を解決するための本発明の一様相である、無線通信システムにおいて端末の下りリンク制御チャネルをモニタリングする方法は、動的下りリンクサブフレーム（Ｆｌｅｘｉｂｌｅ  Ｄｏｗｎｌｉｎｋ  Ｓｕｂｆｒａｍｅ）上で下りリンク制御チャネルをモニタリングするステップを有し、前記動的下りリンクサブフレームは、参照上りリンク−下りリンク設定（Ｒｅｆｅｒｅｎｃｅ ＵＬ−ＤＬ ｃｏｎｆｉｇｕｒａｔｉｏｎ）によって構成された上りリンクサブフレームが、下りリンク通信のために再設定されており、前記参照上りリンク−下りリンク設定は、第１セルに対して設定された第１上りリンク−下りリンク設定及び第２セルに対して設定された第２上りリンク−下りリンク設定の組合せによって構成され、前記第１上りリンク−下りリンク設定及び前記第２上りリンク−下りリンク設定は、無線リソースの用途変更可能に構成されたことを特徴とする。
【００１０】
さらに、前記動的下りリンクサブフレームは、セル−特定参照信号（Ｃｅｌｌ−Ｓｐｅｃｉｆｉｃ  Ｒｅｆｅｒｅｎｃｅ  Ｓｉｇｎａｌ）ベースの送信モードのみを支援することを特徴とする。
【００１１】
さらに、前記動的下りリンクサブフレームは、最初のＯＦＤＭシンボルが、向上した下りリンク制御チャネル（ＥＰＤＣＣＨ）のために割り当てられたことを特徴とする。
【００１２】
さらに、前記第１及び第２上りリンク−下りリンク設定は、互いに異なる向上した下りリンク制御チャネルセット（ＥＰＤＣＣＨ  ｓｅｔ）と連動（ｌｉｎｋ）したことを特徴とする。さらに、前記動的下りリンクサブフレームは、前記第１及び第２上りリンク−下りリンク設定のうち、前記動的下りリンクサブフレームに対応する時点に下りリンク通信として設定された上りリンク−下りリンク設定とＱＣＬ（Ｑｕａｓｉ  Ｃｏ−Ｌｏｃａｔｉｏｎ）を有する特定ＥＰＤＣＣＨセットをモニタリングするように設定されたことを特徴とする。
【００１３】
上記方法は、前記動的下りリンクサブフレームを示す情報を含む再設定メッセージを受信するステップをさらに含み、前記再設定メッセージは、物理的チャネルシグナルを用いて受信されることを特徴とする。
【００１４】
さらに、前記動的下りリンクサブフレームは、共通参照信号（Ｃｏｍｍｏｎ  Ｒｅｆｅｒｅｎｃｅ  ｓｉｇｎａｌ：ＣＲＳ）が送信されないように設定されたことを特徴とする。
【００１５】
さらに、前記動的下りリンクサブフレームは、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）が設定されたことを特徴とする。
【００１６】
上述した問題点を解決するための本発明の一様相である、無線通信システムにおいて下りリンク制御チャネルをモニタリングする端末は、無線周波数ユニット（Ｒａｄｉｏ  Ｆｒｅｑｕｅｎｃｙ  Ｕｎｉｔ）と、プロセッサとを備え、前記プロセッサは、動的下りリンクサブフレーム（Ｆｌｅｘｉｂｌｅ  Ｄｏｗｎｌｉｎｋ  Ｓｕｂｆｒａｍｅ）上で下りリンク制御チャネルをモニタリングするように構成され、前記動的下りリンクサブフレームは、参照上りリンク−下りリンク設定（Ｒｅｆｅｒｅｎｃｅ ＵＬ−ＤＬ ｃｏｎｆｉｇｕｒａｔｉｏｎ）によって構成された上りリンクサブフレームが、下りリンク通信のために再設定されており、前記参照上りリンク−下りリンク設定は、第１セルに対して設定された第１上りリンク−下りリンク設定及び第２セルに対して設定された第２上りリンク−下りリンク設定の組合せによって構成され、前記第１上りリンク−下りリンク設定及び前記第２上りリンク−下りリンク設定は、無線リソースの用途変更可能に構成されたことを特徴とする。
【発明の効果】
【００１７】
本発明によれば、無線通信システムにおいてシステム負荷によって無線リソースを動的に変更する場合に、下りリンク制御チャネルを効率的にモニタリングすることができる。
【００１８】
本発明で得られる効果は、以上で言及した効果に制限されず、言及していない他の効果は、以下の記載から、本発明の属する技術の分野における通常の知識を有する者には明確に理解されるであろう。
【図面の簡単な説明】
【００１９】
【図１】無線通信システムの一例としてＥ−ＵＭＴＳネットワーク構造を示す。
【図２】３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す。
【図３】３ＧＰＰ ＬＴＥシステムに用いられる物理チャネル及びそれらを用いた一般的な信号伝送方法を示す。
【図４】ＬＴＥシステムで用いられる無線フレームの構造を示す。
【図５】下りリンクスロットのリソースグリッド（ｒｅｓｏｕｒｃｅ  ｇｒｉｄ）を示す。
【図６】下りリンクサブフレームの構造を例示する。
【図７】ＬＴＥで用いられる上りリンクサブフレームの構造を示す。
【図８】ＣｏＭＰを行う一例を示す。
【図９】ＴＤＤシステム上で、無線リソースを動的に変更する場合を示す。
【図１０】本発明の好適な一実施例に係る下りリンク制御チャネルモニタリング方法を示す。
【図１１】本発明の実施例に適用可能な基地局及びユーザ機器を例示する。
【発明を実施するための形態】
【００２０】
本発明に関する理解を助けるために詳細な説明の一部として含まれる添付の図面は、本発明に関する実施例を提供し、詳細な説明と共に本発明の技術的思想を説明する。
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ ＬＴＥの進化したバージョンである。
【００２１】
説明を明確にするために、３ＧＰＰ ＬＴＥ／ＬＴＥ−Ａを中心に記述するが、本発明の技術的思想がこれに制限されるわけではない。また、以下の説明で使われる特定用語は、本発明の理解を助けるために提供されるものであり、このような特定用語の使用は、本発明の技術的思想から逸脱しない範囲で他の形態に変更することもできる。
【００２２】
図２は、３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。コントロールプレーンは、端末（Ｕｓｅｒ  Ｅｑｕｉｐｍｅｎｔ：ＵＥ）とネットワークが呼を管理するために用いる制御メッセージが送信される通路を意味する。ユーザプレーンは、アプリケーション層で生成されたデータ、例えば、音声データ又はインターネットパケットデータなどが送信される通路を意味する。
【００２３】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。この伝送チャネルを介して媒体接続制御層と物理層間にデータが移動する。送信側の物理層と受信側の物理層間は、物理チャネルを介してデータが移動する。この物理チャネルは、時間と周波数を無線リソースとして用いる。具体的には、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２４】
第２層の媒体接続制御（Ｍｅｄｉｕｍ  Ａｃｃｅｓｓ  Ｃｏｎｔｒｏｌ：ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ：ＲＬＣ）層にサービスを提供する。第２層のＲＬＣ層は、信頼性あるデータ送信を支援する。ＲＬＣ層の機能は、ＭＡＣ内部の機能ブロックとして具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために不要の制御情報を減らすヘッダー圧縮（Ｈｅａｄｅｒ  Ｃｏｍｐｒｅｓｓｉｏｎ）機能を果たす。
【００２５】
第３層の最下部に位置している無線リソース制御（Ｒａｄｉｏ  Ｒｅｓｏｕｒｃｅ  Ｃｏｎｔｒｏｌ：ＲＲＣ）層は、コントロールプレーンでのみ定義される。ＲＲＣ層は、無線ベアラー（Ｒａｄｉｏ  Ｂｅａｒｅｒ：ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワーク間のデータ伝達のために第２層によって提供されるサービスを意味する。そのために、端末とネットワークのＲＲＣ層は互いにＲＲＣメッセージを交換する。端末とネットワークのＲＲＣ層間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうでない場合、ＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２６】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは異なった帯域幅を提供するように設定することができる。
【００２７】
ネットワークから端末にデータを送信する下り伝送チャネルは、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信されてもよく、又は別の下りＭＣＨ（Ｍｕｌｔｉｃａｓｔ  Ｃｈａｎｎｅｌ）を介して送信されてもよい。一方、端末からネットワークにデータを送信する上り伝送チャネルには、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に位置しており、伝送チャネルにマップされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２８】
図３は、３ＧＰＰ ＬＴＥシステムに用いられる物理チャネル及びそれらを用いた一般的な信号送信方法を説明するための図である。
【００２９】
電源が消えた状態で電源がついたり、新しくセルに進入したりしたユーザ機器は、段階Ｓ３０１で、基地局と同期を取るなどの初期セル探索（Ｉｎｉｔｉａｌ  ｃｅｌｌ  ｓｅａｒｃｈ）作業を行う。そのために、ユーザ機器は基地局から１次同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信してセル内放送情報を取得することができる。一方、ユーザ機器は、初期セル探索段階で下りリンク参照信号（Ｄｏｗｎｌｉｎｋ  Ｒｅｆｅｒｅｎｃｅ  Ｓｉｇｎａｌ：ＤＬ ＲＳ）を受信して下りリンクチャネル状態を確認することができる。
【００３０】
初期セル探索を終えたユーザ機器は、段階Ｓ３０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）、及び物理下りリンク制御チャネル情報に基づく物理下りリンク共有チャネル（Ｐｈｙｓｉｃａｌ  Ｄｏｗｎｌｉｎｋ  Ｃｏｎｔｒｏｌ  Ｃｈａｎｎｅｌ：ＰＤＳＣＨ）を受信し、より具体的なシステム情報を取得することができる。
【００３１】
その後、ユーザ機器は、基地局への接続を完了するために、段階Ｓ３０３乃至段階Ｓ３０６のようなランダムアクセス手順（Ｒａｎｄｏｍ  Ａｃｃｅｓｓ  Ｐｒｏｃｅｄｕｒｅ）を行うことができる。そのために、ユーザ機器は、物理ランダムアクセスチャネル（Ｐｈｙｓｉｃａｌ  Ｒａｎｄｏｍ  Ａｃｃｅｓｓ  Ｃｈａｎｎｅｌ：ＰＲＡＣＨ）を介してプリアンブル（ｐｒｅａｍｂｌｅ）を送信し（Ｓ３０３）、物理下りリンク制御チャネル及びこれに対応する物理下りリンク共有チャネルを介して、プリアンブルに対する応答メッセージを受信することができる（Ｓ３０４）。競合ベースランダムアクセスの場合、更なる物理ランダムアクセスチャネルの送信（Ｓ３０５）、及び物理下りリンク制御チャネル及びこれに対応する物理下りリンク共有チャネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００３２】
上述したような手順を行ったユーザ機器は、その後、一般的な上りリンク／下りリンク信号送信手順として、物理下りリンク制御チャネル／物理下りリンク共有チャネルの受信（Ｓ３０７）及び物理上りリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ：ＰＵＣＣＨ）の送信（Ｓ３０８）を行うことができる。ユーザ機器が基地局に送信する制御情報を総称して上りリンク制御情報（Ｕｐｌｉｎｋ  Ｃｏｎｔｒｏｌ  Ｉｎｆｏｒｍａｔｉｏｎ：ＵＣＩ）という。ＵＣＩは、ＨＡＲＱ ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書で、ＨＡＲＱ ＡＣＫ／ＮＡＣＫは簡単に、ＨＡＲＱ−ＡＣＫ或いはＡＣＫ／ＮＡＣＫ（Ａ／Ｎ）と呼ぶ。ＨＡＲＱ−ＡＣＫは、ポジティブＡＣＫ（簡単に、ＡＣＫ）、ネガティブＡＣＫ（ＮＡＣＫ）、ＤＴＸ及びＮＡＣＫ／ＤＴＸのうち少なくとも一つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、一般にはＰＵＣＣＨを介して送信されるが、制御情報とトラフィックデータとが同時に送信されるべき場合にはＰＵＳＣＨを介して送信されてもよい。また、ネットワークの要求／指示に応じて、ＰＵＳＣＨを介してＵＣＩを非周期的に送信することもできる。
【００３３】
図４は、ＬＴＥシステムで用いられる無線フレームの構造を例示する図である。
【００３４】
図４を参照すると、セルラーＯＦＤＭ無線パケット通信システムにおいて、上りリンク／下りリンクデータパケット送信はサブフレーム（ｓｕｂｆｒａｍｅ）単位になされ、１サブフレームは、複数のＯＦＤＭシンボルを含む一定時間区間と定義される。３ＧＰＰ ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造、及びＴＤＤ（Ｔｉｍｅ  Ｄｉｖｉｓｉｏｎ  Ｄｕｐｌｅｘ）に適用可能なタイプ２の無線フレーム構造を支援する。
【００３５】
図４の（ａ）は、タイプ１無線フレームの構造を例示する。下りリンク無線フレーム（ｒａｄｉｏ  ｆｒａｍｅ）は、１０個のサブフレーム（ｓｕｂｆｒａｍｅ）で構成され、１サブフレームは、時間領域（ｔｉｍｅ  ｄｏｍａｉｎ）で２個のスロット（ｓｌｏｔ）で構成される。１サブフレーム）を送信するためにかかる時間をＴＴＩ（ｔｒａｎｓｍｉｓｓｉｏｎ  ｔｉｍｅ  ｉｎｔｅｒｖａｌ）という。例えば、１サブフレームの長さを１ｍｓ、１スロットの長さを０．５ｍｓとすることができる。１スロットは時間領域で複数のＯＦＤＭシンボルを含み、周波数領域で複数のリソースブロック（Ｒｅｓｏｕｒｃｅ  Ｂｌｏｃｋ：ＲＢ）を含む。３ＧＰＰ ＬＴＥシステムでは下りリンクでＯＦＤＭＡが用いられるため、ＯＦＤＭシンボルが１シンボル区間を表す。ＯＦＤＭシンボルは、ＳＣ−ＦＤＭＡシンボル又はシンボル区間と呼ぶこともできる。リソース割当て単位としてのリソースブロック（ＲＢ）は、１スロットで複数個の連続した副搬送波（ｓｕｂｃａｒｒｉｅｒ）を含むことができる。
【００３６】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって変更可能とすることができる。ＣＰには、拡張されたＣＰ（ｅｘｔｅｎｄｅｄ  ＣＰ）と標準ＣＰ（ｎｏｒｍａｌ  ＣＰ）がある。例えば、ＯＦＤＭシンボルが標準ＣＰによって構成された場合、１スロットに含まれるＯＦＤＭシンボルの数は７個であってよい。ＯＦＤＭシンボルが拡張されたＣＰによって構成された場合、１ ＯＦＤＭシンボルの長さが増加することから、１スロットに含まれるＯＦＤＭシンボルの数は、標準ＣＰの場合に比べて少ない。拡張されたＣＰの場合、例えば、１スロットに含まれるＯＦＤＭシンボルの数は６個であってもよい。ユーザ機器が速い速度で移動するなどしてチャネル状態が不安定な場合、シンボル間干渉をより減らすために、拡張されたＣＰを用いることができる。
【００３７】
標準ＣＰが用いられる場合、１スロットは７ ＯＦＤＭシンボルを含むため、１サブフレームは１４ ＯＦＤＭシンボルを含む。このとき、各サブフレームの先頭における最大３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００３８】
図４の（ｂ）は、タイプ２無線フレームの構造を例示する。タイプ２無線フレームは、２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）とで構成される。
【００３９】
特別サブフレームにおいて、ＤｗＰＴＳは、ユーザ機器における初期セル探索、同期化又はチャネル推定に用いられる。ＵｐＰＴＳは、基地局におけるチャネル推定とユーザ機器の上りリンク送信同期の獲得に用いられる。すなわち、ＤｗＰＴＳは下りリンク送信に、ＵｐＰＴＳは上りリンク送信に用いられ、特に、ＵｐＰＴＳはＰＲＡＣＨプリアンブルやＳＲＳ送信のために用いられる。また、保護区間は、上りリンクと下りリンクの間に下りリンク信号の多重経路遅延によって上りリンクで生じる干渉を除去するための区間である。
【００４０】
上記の特別サブフレームに関して現在３ＧＰＰ標準文書では下記の表１のように設定を定義している。表１でＴＳ＝１／（１５０００×２０４８）の場合に、ＤｗＰＴＳとＵｐＰＴＳを示しており、残りの領域が保護区間として設定される。
【００４１】
【表１】
0006437449.tif 000002
【００４２】
一方、タイプ２無線フレームの構造、すなわち、ＴＤＤシステムにおいて上りリンク／下りリンクサブフレーム設定（ＵＬ／ＤＬ  ｃｏｎｆｉｇｕｒａｔｉｏｎ）は、下記の表２のとおりである。
【００４３】
【表２】
0006437449.tif 000003
【００４４】
上記の表２で、Ｄは下りリンクサブフレーム、Ｕは上りリンクサブフレームを表し、Ｓは特別サブフレームを意味する。また、上記の表２では、それぞれの上りリンク／下りリンクサブフレーム設定において下りリンク−上りリンクスイッチング周期も表している。
【００４５】
上述した無線フレームの構造は例示に過ぎず、無線フレームに含まれるサブフレームの数、サブフレームに含まれるスロットの数、又はスロットに含まれるシンボルの数は様々に変更されてもよい。
【００４６】
図５は、下りリンクスロットのリソースグリッド（ｒｅｓｏｕｒｃｅ  ｇｒｉｄ）を例示する。
【００４７】
図５を参照すると、下りリンクスロットは、時間領域でＮＤＬｓｙｍｂＯＦＤＭシンボルを含み、周波数領域でＮＤＬＲＢリソースブロックを含む。それぞれのリソースブロックがＮＲＢｓｃ副搬送波を含むので、下りリンクスロットは、周波数領域でＮＤＬＲＢ×ＮＲＢｓｃ副搬送波を含む。図５は、下りリンクスロットが７ ＯＦＤＭシンボルを含み、リソースブロックが１２副搬送波を含むと例示しているが、必ずしもこれに制限されない。例えば、下りリンクスロットに含まれるＯＦＤＭシンボルの個数はサイクリックプレフィックス（Ｃｙｃｌｉｃ  Ｐｒｅｆｉｘ：ＣＰ）の長さによって変形されてもよい。
【００４８】
リソースグリッド上の各要素をリソース要素（Ｒｅｓｏｕｒｃｅ  Ｅｌｅｍｅｎｔ：ＲＥ）といい、１つのリソース要素は、１つのＯＦＤＭシンボルインデックス及び１つの副搬送波インデックスで示される。１つのＲＢは、ＮＤＬｓｙｍｂ×ＮＲＢｓｃリソース要素で構成されている。下りリンクスロットに含まれるリソースブロックの数（ＮＤＬＲＢ）は、セルで設定される下りリンク送信帯域幅（ｂａｎｄｗｉｄｔｈ）に従属する。
【００４９】
図６は、下りリンクサブフレームの構造を例示する。
【００５０】
図６を参照すると、サブフレームの第１スロットにおいて先頭における最大３（４）個のＯＦＤＭシンボルは、制御チャネルが割り当てられる制御領域に対応する。残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に該当する。ＬＴＥで用いられる下りリンク制御チャネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレーム内で制御チャネルの送信に用いられるＯＦＤＭシンボルの個数に関する情報を運ぶ。ＰＨＩＣＨは、上りリンク送信に対する応答としてＨＡＲＱ ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００５１】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と称する。ＤＣＩは、ユーザ機器又はユーザ機器グループのためのリソース割当て情報及び他の制御情報を含む。例えば、ＤＣＩは、上りリンク／下りリンクスケジューリング情報、上りリンク送信（Ｔｘ）電力制御命令などを含む。
【００５２】
ＰＤＣＣＨは、下りリンク共有チャネル（ｄｏｗｎｌｉｎｋ  ｓｈａｒｅｄ  ｃｈａｎｎｅｌ：ＤＬ−ＳＣＨ）の送信フォーマット及びリソース割当て情報、上りリンク共有チャネル（ｕｐｌｉｎｋ  ｓｈａｒｅｄ  ｃｈａｎｎｅｌ：ＵＬ−ＳＣＨ）の送信フォーマット及びリソース割当て情報、ページングチャネル（ｐａｇｉｎｇ  ｃｈａｎｎｅｌ：ＰＣＨ）上のページング情報、ＤＬ−ＳＣＨ上のシステム情報、ＰＤＳＣＨ上で送信されるランダムアクセス応答のような上位層制御メッセージのリソース割当て情報、ユーザ機器グループ内の個別ユーザ機器に対する送信電力制御命令セット、送信電力制御命令、ＶｏＩＰ（Ｖｏｉｃｅ  ｏｖｅｒ  ＩＰ）の活性化指示情報などを運ぶ。複数のＰＤＣＣＨが制御領域内で送信されてもよく、ユーザ機器は、複数のＰＤＣＣＨをモニタすることができる。ＰＤＣＣＨは、１つ又は複数の連続した制御チャネル要素（ｃｏｎｔｒｏｌ  ｃｈａｎｎｅｌ  ｅｌｅｍｅｎｔ：ＣＣＥ）の集合（ａｇｇｒｅｇａｔｉｏｎ）上で送信される。ＣＣＥは、ＰＤＣＣＨに無線チャネル状態に基づくコーディングレートを提供するために用いられる論理的割当てユニットである。ＣＣＥは、複数のリソース要素グループ（ｒｅｓｏｕｒｃｅ  ｅｌｅｍｅｎｔ  ｇｒｏｕｐ：ＲＥＧ）に対応する。ＰＤＣＣＨのフォーマット及びＰＤＣＣＨビットの個数はＣＣＥの個数によって決定される。基地局は、ユーザ機器に送信されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣは、ＰＤＣＣＨの所有者又は使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスクされる。例えば、ＰＤＣＣＨが特定ユーザ機器のためのものであれば、該当のユーザ機器の識別子（例、ｃｅｌｌ−ＲＮＴＩ（Ｃ−ＲＮＴＩ））でＣＲＣをマスクすることができる。ＰＤＣＣＨがページングメッセージのためのものであれば、ページング識別子（例、ｐａｇｉｎｇ−ＲＮＴＩ（Ｐ−ＲＮＴＩ））でＣＲＣをマスクすることができる。ＰＤＣＣＨがシステム情報（より具体的に、システム情報ブロック（ｓｙｓｔｅｍ  Ｉｎｆｏｒｍａｔｉｏｎ  ｂｌｏｃｋ、ＳＩＢ））のためのものであれば、ＳＩ−ＲＮＴＩ（ｓｙｓｔｅｍ  Ｉｎｆｏｒｍａｔｉｏｎ  ＲＮＴＩ）でＣＲＣをマスクすることができる。ＰＤＣＣＨがランダムアクセス応答のためのものであれば、ＲＡ−ＲＮＴＩ（ｒａｎｄｏｍ  ａｃｃｅｓｓ−ＲＮＴＩ）でＣＲＣをマスクすることができる。
【００５３】
図７は、ＬＴＥで用いられる上りリンクサブフレームの構造を例示する。
【００５４】
図７を参照すると、上りリンクサブフレームは複数（例、２個）のスロットを含む。スロットはＣＰ長によって互いに異なる数のＳＣ−ＦＤＭＡシンボルを含むことができる。上りリンクサブフレームは、周波数領域でデータ領域と制御領域と区別される。データ領域はＰＵＳＣＨを含み、音声などのデータ信号を送信するために用いられる。制御領域はＰＵＣＣＨを含み、上りリンク制御情報（Ｕｐｌｉｎｋ  Ｃｏｎｔｒｏｌ  Ｉｎｆｏｒｍａｔｉｏｎ、ＵＣＩ）を送信するために用いられる。ＰＵＣＣＨは、周波数軸においてデータ領域の両端部に位置しているＲＢ対（ＲＢ  ｐａｉｒ）を含み、スロットを境界にホップする。
【００５５】
ＰＵＣＣＨは、次の制御情報を送信するために用いることができる。
【００５６】
−  ＳＲ（Ｓｃｈｅｄｕｌｉｎｇ  Ｒｅｑｕｅｓｔ）：ＵＬ−ＳＣＨリソースを要求するために用いる情報である。ＯＯＫ（Ｏｎ−Ｏｆｆ  Ｋｅｙｉｎｇ）方式で送信される。
【００５７】
−  ＨＡＲＱ ＡＣＫ／ＮＡＣＫ：ＰＤＳＣＨ上の下りリンクデータパケットに対する応答信号である。下りリンクデータパケットが成功的に受信されたか否かを示す。単一の下りリンクコードワードに対する応答として１ビットのＡＣＫ／ＮＡＣＫが送信され、２つの下りリンクコードワードに対する応答として２ビットのＡＣＫ／ＮＡＣＫが送信される。
【００５８】
−  ＣＳＩ（Ｃｈａｎｎｅｌ  Ｓｔａｔｅ  Ｉｎｆｏｒｍａｔｉｏｎ）：下りリンクチャネルに対するフィードバック情報である。ＣＳＩは、ＣＱＩ（Ｃｈａｎｎｅｌ  Ｑｕａｌｉｔｙ  Ｉｎｄｉｃａｔｏｒ）を含み、ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報は、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ Ｔｙｐｅ  Ｉｎｄｉｃａｔｏｒ）などを含む。サブフレーム当たり２０ビットが用いられる。
【００５９】
ユーザ機器がサブフレームで送信できる制御情報（ＵＣＩ）の量は、制御情報送信に利用可能なＳＣ−ＦＤＭＡの個数に依存する。制御情報送信に利用可能なＳＣ−ＦＤＭＡは、サブフレームにおいて参照信号送信のためのＳＣ−ＦＤＭＡシンボル除いた残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームでは、サブフレームの最後のＳＣ−ＦＤＭＡシンボルも除く。参照信号は、ＰＵＣＣＨのコヒーレント検出に用いられる。
【００６０】
以下では、ＣｏＭＰ（Ｃｏｏｐｅｒａｔｉｖｅ  Ｍｕｌｔｉｐｏｉｎｔ  Ｔｒａｎｓｍｉｓｓｉｏｎ／Ｒｅｃｅｐｔｉｏｎ）について説明する。
【００６１】
ＬＴＥ−Ａ以降のシステムは、複数のセル間の協調を可能にしてシステムの性能を上げる方式を導入しようとしている。このような方式を、協調多重ポイント送信／受信（Ｃｏｏｐｅｒａｔｉｖｅ  Ｍｕｌｔｉｐｏｉｎｔ  Ｔｒａｎｓｍｉｓｓｉｏｎ／Ｒｅｃｅｐｔｉｏｎ：ＣｏＭＰ）という。ＣｏＭＰは、特定端末と基地局、アクセス（Ａｃｃｅｓｓ）ポイント或いはセル（Ｃｅｌｌ）との通信をより円滑にするために、２個以上の基地局、アクセスポイント或いはセルが互いに協調して端末と通信する方式を意味する。本発明で、基地局、アクセス、或いはセルは同じ意味で使われてもよい。
【００６２】
一般に、周波数再使用因子（ｆｒｅｑｕｅｎｃｙ  ｒｅｕｓｅ  ｆａｃｔｏｒ）が１である多重セル環境で、セル−間干渉（Ｉｎｔｅｒ−Ｃｅｌｌ  Ｉｎｔｅｒｆｅｒｅｎｃｅ：ＩＣＩ）によって、セル−境界に位置している端末の性能と平均セクター収率が減少する。このようなＩＣＩを低減するために、既存のＬＴＥシステムでは、端末特定電力制御を用いた部分周波数再使用（ｆｒａｃｔｉｏｎａｌ  ｆｒｅｑｕｅｎｃｙ  ｒｅｕｓｅ：ＦＦＲ）のような単純な受動的な技法を用いて、干渉によって制限を受けた環境でセル−境界に位置している端末に適切な収率性能を有させる方法が適用されている。しかしながら、セル当たり周波数リソース使用を減少するよりは、ＩＣＩを低減したり、ＩＣＩを端末の希望する信号として再利用したりする方が好ましいだろう。このような目的を達成するために、ＣｏＭＰ送信技法を適用することができる。
【００６３】
図８は、ＣｏＭＰを行う一例を示す。図８を参照すると、無線通信システムは、ＣｏＭＰを行う複数の基地局ＢＳ１，ＢＳ２，ＢＳ３と端末とを含む。ＣｏＭＰを行う複数の基地局ＢＳ１，ＢＳ２，ＢＳ３は互いに協調して端末にデータを效率的に送信することができる。ＣｏＭＰは、ＣｏＭＰを行う各基地局からデータ送信をするか否かによって、次の２つの技法に大別することができる。
【００６４】
−  ジョイントプロセシング（Ｊｏｉｎｔ  Ｐｒｏｃｅｓｓｉｎｇ）（ＣｏＭＰ  Ｊｏｉｎｔ  Ｐｒｏｃｅｓｓｉｎｇ：ＣｏＭＰ−ＪＰ）
−  協調的スケジューリング／ビームフォーミング（ＣｏＭＰ−ＣＳ／ＣＢ、ＣｏＭＰ  Ｃｏｏｐｅｒａｔｉｖｅ  ｓｃｈｅｄｕｌｉｎｇ：ＣｏＭＰ−ＣＳ）
【００６５】
ＣｏＭＰ−ＪＰの場合、一つの端末へのデータが、ＣｏＭＰを行う各基地局から同時に送信され、端末は、各基地局からの信号を結合して受信性能を向上させる。すなわち、ＣｏＭＰ−ＪＰ技法は、ＣｏＭＰ協調単位のそれぞれのポイント（基地局）でデータを用いることができる。ＣｏＭＰ協調単位は、協調送信技法に用いられる基地局の集合を意味する。ＪＰ技法は、ジョイント送信（Ｊｏｉｎｔ  Ｔｒａｎｓｍｉｓｓｉｏｎ）技法と動的セル選択（Ｄｙｎａｍｉｃ  ｃｅｌｌ  ｓｅｌｅｃｔｉｏｎ）技法とに分類することができる。
【００６６】
ジョイント送信技法とは、ＰＤＳＣＨが一度に複数個のポイント（ＣｏＭＰ協調単位の一部又は全部）から送信される技法をいう。すなわち、単一の端末に送信されるデータを複数個の送信ポイントから同時に送信することができる。ジョイント送信技法によれば、コヒーレントに（ｃｏｈｅｒｅｎｔｌｙ）又はノンーコヒーレントに（ｎｏｎ−ｃｏｈｅｒｅｎｔｌｙ）受信信号の品質を向上させることができ、また、他の端末に対する干渉を能動的に消去することができる。
【００６７】
動的セル選択技法とは、ＰＤＳＣＨが一度に（ＣｏＭＰ協調単位の）一つのポイントから送信される技法をいう。すなわち、特定の時点で単一の端末に送信されるデータは、一つのポイントから送信され、その時点に、協調単位における他のポイントは当該端末にデータを送信しない。当該端末にデータを送信するポイントは、動的に選択することができる。
【００６８】
一方、ＣｏＭＰ−ＣＳの場合、一つの端末へのデータは、任意の瞬間に一つの基地局から送信され、他の基地局による干渉が最小化するようにスケジューリング或いはビームフォーミング（Ｂｅａｍｆｏｒｍｉｎｇ）がなされる。すなわち、ＣｏＭＰ−ＣＳ／ＣＢ技法によれば、ＣｏＭＰ協調単位が単一端末に対するデータ送信のビームフォーミングを協調的に行うことができる。ここで、データはサービングセルでのみ送信されるが、ユーザスケジューリング／ビームフォーミングは、当該ＣｏＭＰ協調単位のセルの調整によって決定することができる。
【００６９】
一方、上りリンクにおいて、調整（ｃｏｏｒｄｉｎａｔｅｄ）多重−ポイント受信は、地理的に離れている複数個のポイントの調整によって送信された信号を受信することを意味する。上りリンクの場合に適用可能なＣｏＭＰ技法は、ジョイント受信（Ｊｏｉｎｔ  Ｒｅｃｅｐｔｉｏｎ：ＪＲ）及び調整スケジューリング／ビームフォーミング（ｃｏｏｒｄｉｎａｔｅｄ  ｓｃｈｅｄｕｌｉｎｇ／ｂｅａｍｆｏｒｍｉｎｇ：ＣＳ／ＣＢ）とに分類することができる。
【００７０】
ＪＲ技法は、ＰＵＳＣＨを介して送信された信号が複数個の受信ポイントで受信されることを意味し、ＣＳ／ＣＢ技法は、ＰＵＳＣＨが一つのポイントでのみ受信されるが、ユーザスケジューリング／ビームフォーミングはＣｏＭＰ協調単位のセルの調整によって決定されることを意味する。
【００７１】
以下では、複数のセル間の干渉について説明する。
【００７２】
２つの基地局（例えば、基地局＃１及び基地局＃２）が隣接して配置される場合のように、２つの基地局のカバレッジの一部が重なる場合、一つの基地局からサービスを受ける端末に対して、他の基地局からの強い下りリンク信号が干渉を誘発しうる。このようにセル間干渉が発生する場合に、２つの基地局間にセル間協調信号方式を用いてセル間干渉を低減させることができる。以下に説明する本発明の様々な実施例において、互いに干渉する２つの基地局間に信号送受信が円滑である場合を仮定する。例えば、２つの基地局間に送信帯域幅や時間遅延などの送信条件が良好な有／無線リンク（例えば、バックホールリンク又はＵｎインターフェース）が存在し、基地局間における協調信号の送受信に対する信頼性が高い場合を仮定する。また、２つの基地局間の時間同期（ｔｉｍｅ  ｓｙｎｃｈｒｏｎｉｚａｔｉｏｎ）が許容可能な誤差範囲内で一致したり（例えば、互いに干渉する２つの基地局の下りリンクサブフレームの境界が整列（ａｌｉｇｎ）されている場合）、両基地局間のサブフレーム境界の差（ｏｆｆｓｅｔ）を相互明確に認識している場合を仮定することができる。
【００７３】
図８を再び参照すると、基地局＃１（ＢＳ＃１）は、広い領域を高い送信電力でサービスするマクロ基地局とし、基地局＃２（ＢＳ＃２）は、狭い領域を低い送信電力でサービスするマイクロ基地局（例えば、ピコ基地局）としている。図８で例示するように、基地局＃２のセル境界地域に位置して基地局＃２からサービスを受ける端末（ＵＥ）が基地局＃１から強い干渉を受ける場合、適切なセル間協調無しでは効果的に通信し難い。
【００７４】
特に、低い電力を有するマイクロ基地局である基地局＃２に多数の端末を接続させることで、マクロ基地局である基地局＃１がサービスを提供する負荷（ｌｏａｄ）を分散させようとする場合に、上記のようなセル間干渉の状況が発生する可能性が高い。例えば、端末がサービング基地局を選定するとき、マイクロ基地局からの受信電力には所定の調整値（バイアス（ｂｉａｓ）値）を加え、マクロ基地局からの受信電力には調整値を加えない方式で、それぞれの基地局からの下りリンク信号の受信電力を計算及び比較することができ、その結果、端末は、最も高い下りリンク受信電力を提供する基地局をサービング基地局として選定することができる。これによって、より多数の端末をマイクロ基地局に接続させることができる。端末が実際に受信する下りリンク信号強度は、マクロ基地局からの信号がより遥かに強いにもかかわらず、マイクロ基地局がサービング基地局として選ばれてもよく、マイクロ基地局に接続した端末はマクロ基地局からの強い干渉を経験しうる。このような場合、マイクロ基地局の境界に位置している端末は、別のセル間協調が提供されないと、マクロ基地局からの強い干渉によって正しい動作を行い難くなる。
【００７５】
セル間干渉が存在する場合にも効果的な動作を行うために、セル間干渉が互いに発生する２つの基地局間に適切な協調が行わなければならず、このような協調動作を可能にする信号を両基地局間のリンクを介して送受信することができる。この場合、セル間干渉がマクロ基地局とマイクロ基地局間に発生する場合には、マクロ基地局がセル間協調動作を制御し、マイクロ基地局は、マクロ基地局が知らせる協調信号によって適切な動作を行うこともできる。
【００７６】
上記のようなセル間干渉発生状況は単なる例示に過ぎず、本発明で説明する実施例は、上記と異なる状況でセル間干渉が発生する場合（例えば、ＣＳＧ方式のＨｅＮＢとＯＳＧ方式のマクロ基地局間にセル間干渉が発生する場合、マイクロ基地局が干渉を誘発してマクロ基地局が干渉を受ける場合、又はマイクロ基地局間に又はマクロ基地局間にセル間干渉が存在する場合など）にも同一に適用することができる。
【００７７】
前述した内容に基づいて、本発明では、複数のセルが自身のシステム負荷状態に応じて無線リソースの用途を動的に変更する場合に制御チャネル（Ｃｏｎｔｒｏｌ  Ｃｈａｎｎｅｌ）の送／受信を効率的に行う方法を提案する。
【００７８】
ここで、制御チャネルは、既存のＰＤＣＣＨ（Ｐｈｙｓｉｃａｌ  Ｄｏｗｎｌｉｎｋ  Ｃｏｎｔｒｏｌ  Ｃｈａｎｎｅｌ）、及び既存のＰＤＳＣＨ（Ｐｈｙｓｉｃａｌ  Ｄｏｗｎｌｉｎｋ  Ｓｈａｒｅｄ  Ｃｈａｎｎｅｌ）領域上で送信されるＥＰＤＣＣＨ（Ｅｎｈａｎｃｅｄ  ＰＤＣＣＨ）を含む。また、ＰＤＳＣＨ領域は、複数のＯＦＤＭシンボルで構成されるサブフレームにおいて（既存）ＰＤＣＣＨ送信の用途に用いられる先頭における一部のＯＦＤＭシンボルを除いた残りのＯＦＤＭシンボルで構成される領域と定義される。他の例として、ＰＤＣＣＨ送信の用途に用いられるＯＦＤＭシンボルが存在せず、当該サブフレームにおける全ＯＦＤＭシンボルがＰＤＳＣＨ領域として指定及び使用されてもよい。
【００７９】
以下では、説明の便宜のために、３ＧＰＰ ＬＴＥシステムに基づいて本発明を説明する。しかし、本発明が適用されるシステムの範囲は、３ＧＰＰ ＬＴＥシステム以外のシステムにも拡張することができる。本発明の実施例は、搬送波集成技法（Ｃａｒｒｉｅｒ  Ａｇｇｒｅｇａｔｉｏｎ：ＣＡ）が適用された環境下で、特定セル（Ｃｅｌｌ）或いは特定コンポーネントキャリア（Ｃｏｍｐｏｎｅｎｔ  Ｃａｒｒｉｅｒ：ＣＣ）上のリソースをシステムの負荷状態によって動的に変更する場合にも拡張して適用することができる。また、本発明の実施例は、ＴＤＤシステム或いはＦＤＤシステムにおいて無線リソースの用途を動的に変更する場合にも拡張して適用することができる。以下では、本発明に関する説明の便宜のために、ＴＤＤシステム環境下でそれぞれのセルが自身のシステム負荷状態に応じて既存の無線リソースの用途を動的に変更する状況を仮定する。
【００８０】
図９は、ＴＤＤシステム環境下で特定セルが下りリンク負荷量が増加することから、既存の上りリンクサブフレームの一部を下りリンク通信の目的に変更して用いる場合を示す。図９では、ＳＩＢ（Ｓｙｓｔｅｍ  Ｉｎｆｏｒｍａｔｉｏｎ  Ｂｌｏｃｋ）シグナルによって設定された既存の上りリンク−下りリンク設定を上りリンク−下りリンク＃０（すなわち、ＤＳＵＵＵＤＳＵＵＵ）と仮定し、基地局は端末に、事前に定義されたシグナル（例えば、ｉ）ＲＲＣシグナル、或いはii）ＳＩＢシグナル、或いはiii ）物理的制御／データチャネル）によって用途変更された上りリンクサブフレームに関する情報（すなわち、ＳＦ ＃（ｎ＋３）、ＳＦ ＃（ｎ＋８））を知らせることがわかる。
【００８１】
本発明に関する実施例として、端末が、用途変更された上りリンクサブフレームで、制御チャネル上の共通検索領域（Ｃｏｍｍｏｎ  Ｓｅａｒｃｈ  Ｓｐａｃｅ：ＣＳＳ）に対するブラインドデコーディング（Ｂｌｉｎｄ  Ｄｅｃｏｄｉｎｇ：ＢＤ）を行わないように設定することができる。
【００８２】
このような方法は、ＣＳＳのブラインドデコーディング動作に用いられる事前に定義された特定参照信号（例、ＣＲＳ）が、用途変更された上りリンクサブフレーム上で送信されない場合に有効でありうる。例えば、用途変更された上りリンクサブフレーム上ではＣＲＳが送信されないように設定することができ、これは、当該リソースを既存の上りリンク用途に用いる隣接セルの通信への、ＣＲＳ送信による干渉を減らすためである。
【００８３】
具体的には、用途変更された上りリンクサブフレームがＥＰＤＣＣＨモニタリングサブフレームとして設定される場合、端末は、既存のＰＤＣＣＨ領域上でＣＳＳに対するブラインドデコーディングをＣＲＳベースで行い、ＥＰＤＣＣＨ領域上で端末−特定検索領域（ＵＥ−ｓｐｅｃｉｆｉｃ  Ｓｅａｒｃｈ  Ｓｐａｃｅ：ＵＳＳ）に対するブラインドデコーディング動作をＤＭ−ＲＳベースで行うようになる。しかし、仮に、用途変更された上りリンクサブフレーム上で（セル間干渉を減少させるために）ＣＲＳ送信が行われないと、端末は、既存のＰＤＣＣＨ上のＣＳＳに対するＢＤ動作を行うことができなくなる。
【００８４】
このため、基地局は端末に、事前に定義されたシグナル（例えば、物理層或いは上位層シグナル）を用いて、用途変更された上りリンクサブフレームで既存のＰＤＣＣＨ上のＣＲＳベースのＣＳＳブラインドデコーディングを行わないように指示したり、或いは事前に定義された規則に従って、用途変更された上りリンクサブフレーム上でＣＲＳ送信が行われない場合には、当該用途変更された上りリンクサブフレームで、端末が暗黙的に既存のＰＤＣＣＨ上でＣＲＳベースのＣＳＳブラインドデコーディングを行わないように設定することもできる。又は、用途変更された上りリンクサブフレームで既存のＰＤＣＣＨ上のＣＳＳブラインドデコーディング動作を行うか否かは、基地局がＣＳＳブラインドデコーディングを行わないように指示する追加のシグナル送信無しで、当該用途変更された上りリンクサブフレームでＣＳＳのブラインドデコーディング動作に用いられる特定参照信号（例えば、ＣＲＳ）が送信されるか否かによって端末が暗黙的に把握するように設定することもできる。
【００８５】
さらに、本発明は、用途変更された上りリンクサブフレームで端末がＥＰＤＣＣＨ領域上のＵＳＳに対するブラインドデコーディング動作のみを制限的に行うようにする形態で適用されてもよい。また、ＣＳＳがＣＲＳベースのＰＤＣＣＨ領域或いはＣＲＳベースのＥＰＤＣＣＨ領域上で具現される場合にのみ限定的に適用（すなわち、ＣＳＳがＤＭ−ＲＳベースのＥＰＤＣＣＨ領域上で具現される場合には例外として適用しない）されるように設定することもできる。
【００８６】
本発明の更に他の実施例として、用途変更された上りリンクサブフレームで、ＣＳＳに対するブラインドデコーディングに用いられる特定参照信号が送信されず、制御チャネル上のＣＳＳに対するブラインドデコーディング動作が行われないように設定した場合、当該用途変更された上りリンクサブフレームでは（例外として）端末の既存ＣＳＳに対する一部或いは全てのブラインドデコーディング実行回数が、ＵＳＳに対するブラインドデコーディング回数として再割当てされるように設定することができる。
【００８７】
既存のＣＳＳブラインドデコーディング回数の一部又は全てをＵＳＳブラインドデコーディング回数として再割当てすることは、事前に定義された設定に基づいて行うる。ここで、セルは端末に、事前に定義されたシグナル（例えば、物理層或いは上位層シグナル）を用いてブラインドデコーディング回数再割当てに関連した設定を知らせたり、或いは事前に定義された設定に基づいて端末がブラインドデコーディング回数再割当てに関連した情報を把握するように設定することができる。
【００８８】
又は、ブラインドデコーディング回数の再割当てに関連した設定は、ｉ）端末がモニタリングすべきＤＣＩフォーマットの種類、又は／及びii）送信モードの種類、又は／及びiii ）ＵＳＳが具現されたＥＰＤＣＣＨセット上で制御情報送信用途に利用可能なリソース要素（ＲＥ）の総数が、事前に定義された臨界値（例えば、１０４）よりも大きいか否か、又は／及びiv）サイクリックプレフィックス（Ｃｙｃｌｉｃ  Ｐｒｅｆｉｘ、ＣＰ）の種類、又は／及びｖ）サブフレームタイプ種類（例えば、標準（Ｎｏｒｍａｌ）／拡張（Ｅｘｔｅｎｄｅｄ）／スペシャル（Ｓｐｅｃｉａｌ）サブフレーム）、又は／及びvi）スペシャルサブフレーム設定種類、又は／及びvii ）システム帯域幅が事前に定義された臨界値（例えば、２５ＲＢ）よりも大きいか否か、又は／及びviii）ＵＳＳが具現されたＥＰＤＣＣＨセットのタイプ種類（例えば、局部（Ｌｏｃａｌｉｚｅｄ）／分散（Ｄｉｓｔｒｉｂｕｔｅｄ）ＥＰＤＣＣＨセット）などの一部或いは全ての条件を満たす場合にのみ限定的に適用されるように設定することもできる。
【００８９】
したがって、本発明に係るブラインドデコーディング回数の再割当てに関する実施例として、ブラインドデコーディング回数再割当ては、同一の集成レベル（Ａｇｇｒｅｇａｔｉｏｎ  Ｌｅｖｅｌ：ＡＬ）間にのみ限定的に行われるように設定することができる。
【００９０】
標準サブフレーム（標準ＣＰの場合）或いはスペシャルサブフレーム設定＃３／４／８（標準ＣＰである場合）環境下で、ＵＳＳが具現されたＥＰＤＣＣＨセット上で制御情報送信用途に利用可能なＲＥの総数が事前に定義された臨界値（例えば、１０４）よりも小さい場合、或いはシステム帯域幅が事前に定義された臨界値（例えば、２５ＲＢ）より大きいか等しく、且つ端末のモニタリングするＤＣＩフォーマットがＤＣＩフォーマット２シリーズである場合、ＥＰＤＣＣＨセット上で端末のＵＳＳブラインドデコーディング動作が行われる最小集成レベルは２に増加する。このような場合には、更に他の実施例として、特定集成レベルのＣＳＳブラインドデコーディング回数を、事前に定義された規則に従ってＵＳＳの特定集成レベルのためのブラインドデコーディング回数として再割当てすることができる。
【００９１】
具体的な例として、４個のＰＲＢ対（Ｐａｉｒ）と定義された分散ＥＰＤＣＣＨセット上で端末が集成レベル｛２，４，８，１６，３２｝のＵＳＳブラインドデコーディング（すなわち、ＡＬ｛２，４，８，１６，３２｝に対するブラインドデコーディング設定｛８，４，２，１，０｝）を行わなければならない場合、既存のＣＳＳ上の集成レベル｛４，８｝のＣＳＳブラインドデコーディング回数（すなわち、ＡＬ｛４，８｝に対するブラインドデコーディング設定｛４，２｝）がそれぞれ、ＵＳＳ上の集成レベル｛８，１６｝のブラインドデコーディング回数として再割当されるように設定することができる。すなわち、ＥＰＤＣＣＨセット上でＵＳＳブラインドデコーディング動作が行われる最小集成レベル（ＡＬ）が２に設定された場合に、ＥＰＤＣＣＨセット上の”ＡＬ Ｎ＊２”とＣＳＳ上の”ＡＬ Ｎ”間にブラインドデコーディング回数再割当がなされたことがわかる。更に他の例として、ＥＰＤＣＣＨセット上でＵＳＳブラインドデコーディング動作が行われる最小集成レベル（ＡＬ）値が２に設定された場合、ＥＰＤＣＣＨセット上の”ＡＬ Ｎ／２”とＣＳＳ上の”ＡＬ Ｎ”間にブラインドデコーディング回数再割当てが行われるように設定することもできる。
【００９２】
上述した本発明の実施例において、ＵＳＳが具現されたＥＰＤＣＣＨセット上で端末のＵＳＳブラインドデコーディング動作が行われる最小集成レベル値が２である条件だけでなく、ｉ）端末がモニタリングすべきＤＣＩフォーマットの種類、又は／及びii）送信モードの種類、又は／及びiii ）サイクリックプレフィックス（ＣＰ）の種類、又は／及びiv）サブフレームタイプ種類（例えば、標準／拡張／スペシャルサブフレーム）、又は／及びｖ）スペシャルサブフレーム設定種類、又は／及びvi）システム帯域幅が事前に定義された臨界値（例えば、２５ＲＢ）よりも大きいか否か、又は／及びvii ）ＵＳＳが具現されたＥＰＤＣＣＨセットのタイプ種類（例えば、局部／分散ＥＰＤＣＣＨセット）などの条件のうち、事前に定義された一部の条件がさらに考慮されて、特定集成レベルのＣＳＳブラインドデコーディング回数がＵＳＳの特定集成レベルのためのブラインドデコーディング回数として再割当てされるように設定することもできる。
【００９３】
また、本発明ではさらに、ＣＳＳブラインドデコーディング回数の再割当てによってＵＳＳの特定集成レベルに対するブラインドデコーディング割当て回数が当該集成レベルに対する最大ブラインドデコーディング割当て回数を超えることになる場合、最大ブラインドデコーディング割当て回数を超える残り（超過分）のブラインドデコーディング割当て回数は省略されるように設定することができる。
【００９４】
或いは、ＣＳＳブラインドデコーディング回数の再割当てによってＵＳＳの特定集成レベルに対するブラインドデコーディング割当て回数が当該集成レベルに対する最大ブラインドデコーディング割当て回数を超えることになる場合、例外的に残り（超過分）ブラインドデコーディング割当て回数を、ＵＳＳの事前に定義された特定集成レベルから順次に、最大限に満たして行くようにする形態に設定することができる。例えば、最も低い集成レベルから昇順に最大限に満たして行くか、逆に、最も高い集成レベルから順次に降順に最大限に満たして行くことができる。特に、特定集成レベルから順次に割り当てた後にも残ったブラインドデコーディング割当て回数は省略されるように設定することができる。例えば、ＥＰＤＣＣＨセット領域上に具現されたＵＳＳの特定集成レベルに対する最大ブラインドデコーディング割当て回数は、当該ＥＰＤＣＣＨセットから導出可能な特定集成レベルの最大ＥＰＤＣＣＨ候補（Ｃａｎｄｉｄａｔｅ）個数に限定することができる。例えば、仮に、２個のＰＲＢ対（Ｐａｉｒ）と定義された特定ＥＰＤＣＣＨセットが総数８個のＥＣＣＥで構成されるとすれば、当該ＥＰＤＣＣＨセットで集成レベル２に対する最大ブラインドデコーディング割当て回数は、合計４（すなわち、４×２ ＥＣＣＥ＝８ ＥＣＣＥ）となる。このため、集成レベル２に対するブラインドデコーディング割当て回数は、４個まで割り当てられるように満たした後に、他の集成レベルに割り当てられるようにすることができる。
【００９５】
また、本発明のブラインドデコーディング回数の再割当てに関する第２実施例として、再割当てされるＣＳＳブラインドデコーディング回数を優先的に集成レベルを問わずに統合した後、事前に定義された設定によって、ＵＳＳの特定集成レベルのブラインドデコーディング回数として再分配されるように設定することもできる。ここで、統合されたＣＳＳブラインドデコーディング回数を、ＵＳＳの事前に定義された特定集成レベルから順次に最大限に満たして行くように設定することができる。例えば、統合されたＣＳＳブラインドデコーディング回数を、最も低い集成レベルから昇順に最大限に満たして行くか、逆に、最も高い集成レベルから順次に降順に最大限に満たして行くことができる。また、本発明を適用した後に（割り当てられていない）残りのブラインドデコーディング割当て回数は省略されるように設定することができる。
【００９６】
また、ＵＳＳが具現されたＥＰＤＣＣＨセットのタイプ種類（例えば、局部／分散ＥＰＤＣＣＨセット）によって、統合されたＣＳＳブラインドデコーディング回数をＵＳＳの事前に定義された相対的に高い集成レベルから順次に（例えば、昇順或いは降順に）最大限に満たして行くか、或いは事前に定義された相対的に低いＡＬから順次に（例えば、昇順或いは降順に）最大限に満たして行くかが決定されるように設定することもできる。ここで、ＵＳＳが分散ＥＰＤＣＣＨセット上に具現された場合には、統合されたＣＳＳブラインドデコーディング回数を、ＵＳＳの事前に定義された相対的に高い集成レベルから順次に（例えば、昇順或いは降順に）最大限に満たして行き、ＵＳＳが局部ＥＰＤＣＣＨセット上に具現された場合には、統合されたＣＳＳブラインドデコーディング回数を、ＵＳＳの事前に定義された相対的に低い集成レベルから順次に（例えば、昇順或いは降順に）最大限に満たして行くように設定することができる。
【００９７】
さらに、ＵＳＳが具現されたＥＰＤＣＣＨセットタイプ種類の条件だけでなく、ｉ）端末がモニタリングすべきＤＣＩフォーマットの種類、又は／及びii）送信モードの種類、又は／及びiii ）ＵＳＳが具現されたＥＰＤＣＣＨセット上で制御情報送信用途に利用可能なＲＥの総数が事前に定義された臨界値（例えば、１０４）よりも大きいか否か、又は／及びiv）サイクリックプレフィックス（ＣＰ）の種類、又は／及びｖ）サブフレームタイプ種類（例えば、標準／拡張／スペシャルサブフレーム）、又は／及びvi）スペシャルサブフレーム設定種類、又は／及びvii ）システム帯域幅が事前に定義された臨界値（例えば、２５ＲＢ）よりも大きいか否かなどの条件のうち、事前に定義された一部の条件がさらに考慮されてもよい。したがって、このような追加の条件に基づいて、統合されたＣＳＳブラインドデコーディング回数を、事前に定義された相対的に高い集成レベルから或いは事前に定義された相対的に低い集成レベルから順次に（例えば、昇順或いは降順に）最大限に満たして行くかが決定されるように設定することもできる。
【００９８】
また、本発明のブラインドデコーディング回数の再割当てに関する第２実施例に関する全ての例は、上述したブラインドデコーディング回数の再割当てに関する第１実施例において超過分の残りブラインドデコーディング割当て回数を、ＵＳＳの事前に定義された特定の集成レベルから順次に最大限に満たして行く時にも拡張して適用可能である。例えば、最も低い集成レベルから昇順に、最大限に満たして行くか、最も高い集成レベルから降順に、最大限に満たして行くときにも拡張して適用可能である。
【００９９】
また、本発明において、用途変更された上りリンクサブフレームで、ＣＳＳのブラインドデコーディング動作に用いられる特定参照信号が送信されず、制御チャネル上のＣＳＳに対するブラインドデコーディング動作が行われないように設定された場合には、当該用途変更された上りリンクサブフレームでは例外として端末の既存ＣＳＳに対する一部或いは全てのブラインドデコーディング実行回数が省略されるように設定することもできる。
【０１００】
例えば、セルは端末に、事前に定義されたシグナル（例えば、物理層或いは上位層シグナル）を用いてＣＳＳブラインドデコーディング回数省略動作と関連した設定に関する情報を知らせたり、或いは事前に定義された規則に基づいて端末が暗黙的にＣＳＳブラインドデコーディング回数省略動作と関連した設定或いはこれに関する情報を把握するように設定することができる。他の例として、用途変更された上りリンクサブフレームでＣＳＳブラインドデコーディング回数を省略するか否かは、基地局がＣＳＳブラインドデコーディング回数省略のための追加のシグナル送信無しで、当該用途変更された上りリンクサブフレームでＣＳＳのブラインドデコーディング動作に用いられる特定参照信号（例えば、ＣＲＳ）の送信が行われるか否かによって端末が暗黙的に把握するように設定することもできる。
【０１０１】
また、本発明で、用途変更された上りリンクサブフレームは常に、ＥＰＤＣＣＨ上のＵＳＳモニタリング動作が行われるサブフレームとして見なされるように設定することもできる。このような設定は、特に、用途変更された上りリンクサブフレームで既存ＰＤＣＣＨ上のＵＳＳ／ＣＳＳブラインドデコーディング動作に用いられるＣＲＳが送信されない場合に効果的である。さらに、セルは端末に、事前に定義されたシグナル（例えば、物理層或いは上位層シグナル）を用いて、上記の設定の適用有無或いは当該設定が適用されるサブフレームの位置（時点）に関する情報を知らせたり、或いは事前に定義された規則に基づいて端末が暗黙的に上述の設定を把握するように設定することができる。又は、上記の設定の適用有無或いは当該設定が適用されるサブフレームの位置（時点）に関する情報は、基地局が（用途変更された上りリンクサブフレームは常に、ＥＰＤＣＣＨ上のＵＳＳモニタリング動作が行われるサブフレームとして見なされるようにするための）追加のシグナル送信無しで、端末に当該用途変更された上りリンクサブフレームでＵＳＳ／ＣＳＳのブラインドデコーディング動作に用いられる特定参照信号（例えば、ＣＲＳ）の送信が行われるか否かによって暗黙的に把握するように設定することもできる。
【０１０２】
また、特定セルの用途変更された上りリンクサブフレーム上で受信される干渉属性（或いは、干渉強度）は、隣接セルの独立した無線リソース用途変更動作によって、用途変更された上りリンクサブフレーム別に一定でないことがある。そこで、本発明の実施例は、用途変更された上りリンクサブフレーム上で送信されるＥＰＤＣＣＨセットのタイプ（例えば、局部／分散ＥＰＤＣＣＨセット）を特定種類に限定されるように設定することができる。
【０１０３】
仮に、干渉属性（或いは、干渉強度）の変化が大きい環境の下では、ランダムビームフォーミングの方法で送信される分散ＥＰＤＣＣＨタイプが、ビームフォーミングの方法で送信される局部ＥＰＤＣＣＨタイプに比べてより高い信頼性を有することができる。また、静的に下りリンク用途に用いられるサブフレームでは隣接セルの干渉が一定（或いは、静的）であることから、ビームフォーミングなどのための局部ＥＰＤＣＣＨタイプを用いるが、動的に変更される下りリンクサブフレームでは隣接セルの干渉が流動的であることから、分散ＥＰＤＣＣＨタイプを用いることが効果的であろう。このため、用途変更された上りリンクサブフレーム上では分散ＥＰＤＣＣＨセットタイプの送信のみが行われるように設定することもできる。
【０１０４】
さらに、セルは端末に、事前に定義されたシグナル（例えば、物理層或いは上位層シグナル）を用いて、上記（変更された上りリンクサブフレーム上で送信されるＥＰＤＣＣＨセットのタイプ）設定の適用有無或いは当該設定が適用されるサブフレームの位置（時点）に関する情報を知らせたり、或いは事前に定義された規則に基づいて端末が暗黙的にこのような情報を把握するように設定することができる。他の例として、用途変更された上りリンクサブフレーム上では局部ＥＰＤＣＣＨセットタイプの送信のみが行われるように設定することもできる。
【０１０５】
また、本発明では、用途変更された上りリンクサブフレームではＤＣＩ １Ａベースの特定データ送信技法（或いは、特定送信モード）を用いないように設定することができる。このような設定は、特に、用途変更された上りリンクサブフレームでＣＲＳが送信されない場合に効果的である。すなわち、ＤＣＩ １Ａベースのデータ送信技法のうち、ＣＲＳベースのデコーディング動作が要求される送信ダイバーシティ（Ｔｒａｎｓｍｉｔ  Ｄｉｖｅｒｓｉｔｙ）方法又は／及び単一アンテナポート（Ｓｉｎｇｌｅ−ａｎｔｅｎｎａ  Ｐｏｒｔ）方法は、用途変更された上りリンクサブフレームで支援されないように設定することができる。
【０１０６】
また、本発明では、用途変更された上りリンクサブフレームでＤＣＩ １Ａベースの全てのデータ送信技法或いはＣＲＳベースのデコーディング動作が要求される全てのデータ送信技法（或いは、送信モード）が支援されないように設定することもできる。このような方式は、特に、用途変更された上りリンクサブフレームでＣＲＳが送信されない場合に有効であろう。すなわち、ＤＣＩ １Ａベースのデータ送信技法のうち、ＣＲＳベースのデコーディング動作が要求される送信ダイバーシティ方法（又は／及び、単一アンテナポート方法）は、用途変更された上りリンクサブフレームで支援されないように設定することができる。ここで、例えば、仮に、用途変更された上りリンクサブフレームでＤＣＩ １Ａベースのデータ送信技法（或いは、送信モード）が支援されないように設定されると、これに関連した情報を、基地局が端末に事前に定義されたシグナルを用いて知らせることによって、ＵＳＳ／ＣＳＳからのＤＣＩ １Ａ検出に対する誤り（すなわち、Ｆａｌｓｅ  Ａｌａｒｍ）確率を減らすことができる。
【０１０７】
さらに、用途変更された上りリンクサブフレームでは、ＣＲＳではなく他の参照信号（例えば、ＤＲＳ或いはＤＭ−ＲＳ）ベースのデコーディング動作が要求されるデータ送信技法（或いは、送信モード）のみが支援されるように設定することができる。例えば、たとえ、既存の下りリンクサブフレーム上のデータ送信のために送信モード４（すなわち、ＣＲＳベースのデコーディング動作を要求する送信モード（すなわち、送信ダイバーシティ技法））が設定されたとしても、端末は、本発明によって用途変更された上りリンクサブフレーム上では送信モード９（すなわち、ＣＲＳではなくＤＭ−ＲＳベースのデコーディング動作を要求する送信モード）が適用されると見なすことができる。このように、端末がＳＩＢ上の下りリンクサブフレームと用途変更された上りリンクサブフレーム上でそれぞれ見なされる送信モード（或いは、データ送信技法）が同一でなくてもよい。
【０１０８】
さらに、セルは端末に、事前に定義されたシグナル（例えば、物理層或いは上位層シグナル）を用いて、上記（特定データ送信技法（或いは、特定送信モード）の利用の有無に関する）設定の適用の有無或いは当該設定が適用されるサブフレームの位置（時点）に関する情報を知らせたり、或いは事前に定義された設定に基づいて端末が暗黙的にこのような情報を把握するように設定することができる。又は、上記（特定データ送信技法（或いは、特定送信モード）の利用の有無に関する）設定の適用の有無或いは当該提案設定が適用されるサブフレームの位置（時点）に関する情報は、基地局がこのような目的の追加のシグナル送信無しで、当該用途変更された上りリンクサブフレームでＣＲＳの送信が行われるか否かによって端末が暗黙的に把握するように設定することもできる。
【０１０９】
また、本発明では、用途変更された上りリンクサブフレームでは、ＳＰＳ（Ｓｅｍｉ−Ｐｅｒｓｉｓｔｅｎｔ  Ｓｃｈｅｄｕｌｉｎｇ）技法の特定データ送信技法（或いは、特定ＳＰＳ送信モード）が行われないように設定することができる。このような設定は、特に、ｉ）無線リソース用途変更周期が相対的に短く設定されることから、安定したＳＰＳ動作（例えば、ＳＰＳ ＨＡＲＱタイムライン）が支援されない場合、或いはii）用途変更された上りリンクサブフレーム上で受信される干渉属性（或いは、干渉強度）が一定でないことから、安定したＳＰＳデータ送信が保障されない場合、或いはiii ）用途変更された上りリンクサブフレームでＣＲＳが送信されないように設定されることから、ＳＰＳデータ送信技法（或いは、特定ＳＰＳ送信モード）のうち、ＣＲＳベースのデコーディング動作を要求する方法が支援されない場合に効果的である。例えば、仮に、用途変更された上りリンクサブフレームでＳＰＳ方法の特定データ送信技法（或いは、特定ＳＰＳ送信モード）が支援されないように設定されると、基地局は端末に、事前に定義されたシグナルを用いてこれと関連した情報を知らせることによって、ＵＳＳ／ＣＳＳからのＳＰＳ  Ｃ−ＲＮＴＩ検出に対する誤り（すなわち、Ｆａｌｓｅ  Ａｌａｒｍ）確率を減らすことができる。さらに、用途変更された上りリンクサブフレームでは、ＣＲＳではなく他の参照信号（例えば、ＤＲＳ或いはＤＭ−ＲＳ）ベースのデコーディング動作が要求されるＳＰＳ方法の特定データ送信技法（或いは、特定ＳＰＳ送信モード）のみが支援されるように設定することもできる。
【０１１０】
さらに、セルは端末に、事前に定義されたシグナル（例えば、物理層或いは上位層シグナル）を用いて、上記（用途変更された上りリンクサブフレームでＳＰＳ技法の特定データ送信技法（或いは、特定ＳＰＳ送信モード）が行われるか否か）の設定の適用の有無或いは当該設定が適用されるサブフレームの位置（時点）に関する情報を知らせたり、或いは事前に定義された設定に基づいて端末が暗黙的にこのような情報を把握するように設定することができる。又は、上記（用途変更された上りリンクサブフレームでＳＰＳ技法の特定データ送信技法（或いは、特定ＳＰＳ送信モード）が行われるか否かに関する）設定の適用の有無或いは当該設定が適用されるサブフレームの位置（時点）に関する情報は、基地局が追加のシグナル送信無しで、当該用途変更された上りリンクサブフレームで特定参照信号（例えば、ＣＲＳ）が送信されるか否かによって端末が暗黙的に把握するように設定することもできる。
【０１１１】
さらに、仮に用途変更された上りリンクサブフレームでＣＲＳが送信されないと、本発明は、当該用途変更された上りリンクサブフレームで、ＣＲＳベースのデコーディング動作を要求するＰＢＣＨ及び／又はＳＩＢ及び／又はランダムアクセス応答（Ｒａｎｄｏｍ  Ａｃｃｅｓｓ  Ｒｅｓｐｏｎｓｅ、ＲＡＲ）メッセージなどが送信されないように適用されてもよい。
【０１１２】
また、本発明では、既存の下りリンクサブフレームと用途変更された上りリンクサブフレーム上で送信される制御チャネル（例えば、ＥＰＤＣＣＨセット）に対する、ｉ）ＣＲＳ／ＣＳＩ−ＲＳレートマッチング（Ｒａｔｅ  Ｍａｔｃｈｉｎｇ）情報、又は／及びii）リソース要素マッピング（ＲＥ  Ｍａｐｐｉｎｇ）情報、又は／及びiii ）ＤＭ−ＲＳレートマッチング情報、又は／及びiv）開始シンボル位置などがそれぞれ独立して定義されるように設定することができる。
【０１１３】
ここで、既存の下りリンクサブフレームは、ＳＩＢ情報上に下りリンクサブフレームと指定されたサブフレームを限定的に意味したり、或いはＳＩＢ情報上に下りリンクサブフレームと指定されたサブフレームのうち、現在、用途変更無しで下りリンク通信目的に用いられるサブフレームを限定的に意味することができる。このような設定は、既存の下りリンクサブフレームと用途変更された上りリンクサブフレーム上でそれぞれ送信される参照信号の種類が互いに異なる場合に効果的である。例えば、仮に用途変更された上りリンクサブフレームでＣＲＳが送信されないように設定されると、当該（用途変更された上りリンク）サブフレームで送信されるＥＰＤＣＣＨセットに対するサービングセルのＣＲＳ送信が考慮されたレートマッチング情報、或いは隣接セルのＣＲＳ干渉回避動作が考慮されたレートマッチング情報は有効でない場合もあるためである。
【０１１４】
また、仮に、用途変更された上りリンクサブフレームでＣＲＳが送信されないように設定されると、当該（用途変更された上りリンク）サブフレームでは、ＣＲＳベースのデコーディング動作が要求されるＰＤＣＣＨが送信されず、ＰＤＣＣＨの送信が考慮されたＥＰＤＣＣＨセット開始シンボル位置情報が有効でない場合がある。このような場合には、ＥＰＤＣＣＨセット開始シンボル位置をサブフレームの最初のＯＦＤＭシンボルと定義することができる。
【０１１５】
例えば、セルは端末に、事前に定義されたシグナル（例えば、物理層或いは上位層シグナルを用いて、用途変更された上りリンクサブフレーム上で既存の下りリンクサブフレームとは独立して定義される、ｉ）ＣＲＳ／ＣＳＩ−ＲＳレートマッチング情報、又は／及びii）リソース要素マッピング情報、又は／及びiii ）ＤＭ−ＲＳレートマッチング情報、又は／及びiv）開始シンボル位置などに関する情報を知らせたり、或いはｖ）事前に定義された設定に基づいて端末が暗黙的にこのような情報を把握するように設定することができる。又は、このような情報は、基地局が追加のシグナル送信無しで、当該用途変更された上りリンクサブフレームで特定参照信号（例えば、ＣＲＳ）の送信が行われるか否かによって端末が暗黙的に把握するように設定することもできる。
【０１１６】
さらに、仮に、用途変更された上りリンクサブフレームで特定参照信号（例えば、ＣＲＳ）が送信されないと、ＥＰＤＣＣＨ送信に利用可能なリソース要素（ＲＥ）の個数が特定参照信号（例えば、ＣＲＳ）が送信される既存下りリンクサブフレームに比べてより多くなることがある。そこで、本発明では、（検索領域上の最小集成レベル決定の用途に用いられる）一つのＰＲＢ対（Ｐａｉｒ）上にＥＰＤＣＣＨ送信に利用可能なリソース要素（ＲＥ）の個数に対する臨界値を、用途変更された上りリンクサブフレームのために独立して指定することもできる。
【０１１７】
また、仮に、用途変更された上りリンクサブフレームで特定参照信号（例えば、ＣＲＳ）が送信されないと、当該サブフレーム上で、セル間の干渉属性が、特定参照信号（例えば、ＣＲＳ）が送信される既存の下りリンクサブフレームの場合とは異なるように現れてもよい。そこで、本発明では、用途変更された上りリンクサブフレームのためのデータ／制御チャネル（例えば、ＰＤＳＣＨ／ＥＰＤＣＣＨ）関連干渉回避方法は、当該用途変更された上りリンクサブフレームにおける互いに異なる干渉属性を考慮して、既存の下りリンクサブフレームの場合とは異なるように定義したり、既存の下りリンクサブフレームの場合と独立して定義することができる。
【０１１８】
また、本発明では、既存の下りリンクサブフレームと用途変更された上りリンクサブフレーム上で送信される制御チャネル（例えば、ＥＰＤＣＣＨセット）の大きさ／位置／個数のうち少なくとも一つが、既存の下りリンクサブフレームと用途変更された上りリンクサブフレームにそれぞれ独立して定義されるように設定することができる。このような設定は、特に、既存の下りリンクサブフレームと用途変更された上りリンクサブフレーム上で、データ／制御情報送信に用いられる帯域幅（或いは、リソースブロック（ＲＢ）の個数）がそれぞれ異なるように定義された場合に効果的である。これは、用途変更された上りリンクサブフレームで既存（Ｌｅｇａｃｙ）端末の円滑な通信或いは正確なチャネル情報ベースの信頼できる通信を引き続き保障するために、サービングセルの上りリンク制御情報（例えば、ＵＬ ＡＣＫ／ＮＣＫ、ＣＱＩ／ＲＩ／ＰＭＩなど）の送信動作が維持されることから、当該用途変更された上りリンクサブフレーム上で実際にデータ送信用途に用いられる帯域幅が、既存の下りリンクサブフレームの場合と異なるように定義（例えば、相対的に小さい帯域幅と定義）されることがあるためである。
【０１１９】
このため、用途変更された上りリンクサブフレーム上で実際にデータ／制御情報送信に用いられる相対的に小さい帯域幅を考慮して、ＥＰＤＣＣＨセットを構成するｉ）ＰＲＢ対（ｐａｉｒ）の個数、又は／及びii）ＥＰＤＣＣＨセットが設定されたＰＲＢ対の位置、又は／及びiii ）ＥＰＤＣＣＨセットの個数などの情報を、既存の下りリンクサブフレームの場合に比べて異なるように設定したり或いは独立して設定することができる。例えば、用途変更された上りリンクサブフレーム上では、既存の上りリンクサブフレームに比べて、ｉ）より少ない個数のＥＰＤＣＣＨセットを構成するＰＲＢ対、又は／及びii）より少ないＥＰＤＣＣＨセットの個数、又は／及びiii ）より小さい帯域幅を考慮したＥＰＤＣＣＨセットが設定されたＰＲＢ対の位置を設定することができる。
【０１２０】
また、本発明では、隣接セルが下りリンク用途に用いるサブフレームと上りリンク用途に用いるサブフレームで、周波数リソース領域に対するセル間干渉緩和（ＩＣＩＣ）実行領域が互いに異なるように設定されてもよく、これを考慮して、ＥＰＤＣＣＨセットの位置をそれぞれ異なるように設定することもできる。例えば、セルは端末に、事前に定義されたシグナル（例えば、物理層或いは上位層シグナル）を用いて、用途変更された上りリンクサブフレーム上で既存の下りリンクサブフレームとは独立して定義される制御チャネル（例えば、ＥＰＤＣＣＨセット）の大きさ／位置／個数のうち少なくとも一つに関する情報を知らせたり、或いは事前に定義された規則に基づいて端末が暗黙的にこのような情報を把握するように設定することができる。
【０１２１】
また、本発明では、サブフレームタイプ（Ｓｕｂｆｒａｍｅ  Ｔｙｐｅ）によって、ＥＰＤＣＣＨセットに関する設定情報（例えば、ＥＰＤＣＣＨセットを構成するＰＲＢ対の個数、又は／及びＥＰＤＣＣＨセットが設定されたＰＲＢ対の位置、又は／及びＥＰＤＣＣＨセットの個数）を異なるように定義することができる。
【０１２２】
ここで、サブフレームタイプとしては、静的サブフレーム（Ｓｔａｔｉｃ  Ｓｕｂｆｒａｍｅ）と流動サブフレーム（Ｆｌｅｘｉｂｌｅ  Ｓｕｂｆｒａｍｅ）を定義することができる。具体的には、流動サブフレームは、既存ＳＩＢ上の上りリンク−下りリンク設定（ＵＬ−ＤＬ  Ｃｏｎｆｉｇｕｒａｔｉｏｎ）と異なる用途に（再）利用されるサブフレーム、或いは以前再設定周期（Ｒｅｃｏｎｆｉｇｕｒａｔｉｏｎ  Ｐｅｒｉｏｄ）区間で設定された用途と異なる目的に（再）利用されるサブフレーム、或いは参照ＨＡＲＱタイムライン（Ｒｅｆｅｒｅｎｃｅ  ＨＡＲＱ  Ｔｉｍｅｌｉｎｅ）上の用途と異なる目的に（再）利用されるサブフレームなどと定義することができる。一方、静的サブフレームは、既存ＳＩＢ上の上りリンク−下りリンク設定（ＵＬ−ＤＬ  Ｃｏｎｆｉｇｕｒａｔｉｏｎ）と同一の用途に（再）利用されるサブフレーム、或いは以前再設定周期（Ｒｅｃｏｎｆｉｇｕｒａｔｉｏｎ  Ｐｅｒｉｏｄ）区間で設定された用途と同一の目的に（再）利用されるサブフレーム、或いは参照ＨＡＲＱタイムライン（Ｒｅｆｅｒｅｎｃｅ  ＨＡＲＱ  Ｔｉｍｅｌｉｎｅ）上の用途と同一の目的に（再）利用されるサブフレームなどと定義することができる。
【０１２３】
特に、参照（ｒｅｆｅｒｅｎｃｅ）下りリンク／上りリンクＨＡＲＱタイムライン（すなわち、上りリンク−下りリンク設定の（再）変更にかかわらず、安定したＨＡＲＱタイムラインを維持するための目的に設定されたＨＡＲＱタイムライン）は、ｉ）再設定可能な上りリンク−下りリンク設定候補の下りリンクサブフレームの和集合／上りリンクサブフレームの積集合を含む上りリンク−下りリンク設定の下りリンク／上りリンクＨＡＲＱタイムラインと定義したり、ii）再設定可能な上りリンク−下りリンク設定候補の下りリンクサブフレームの積集合／上りリンクサブフレームの和集合を含む上りリンク−下りリンク設定の下りリンク／上りリンクＨＡＲＱタイムラインと定義することができる。
【０１２４】
そこで、本発明では、特定サブフレームタイプに対しては、複数個のＥＰＤＣＣＨセット設定情報を、事前に定義されたシグナル（例えば、上位層シグナル（例えば、ＲＲＣ））を用いて知らせたり設定し、事前に定義された追加のシグナル（例えば、物理層シグナル（例、（Ｅ）ＰＤＣＣＨ、ＭＡＣ）或いは上位層シグナル）を用いて、いかなるＥＰＤＣＣＨセットが用いられるかを指示（Ｉｎｄｉｃａｔｉｏｎ）するように設定することができる。ここで、複数個のＥＰＤＣＣＨセット設定情報は、一部（或いは、全て）異なった、ｉ）ＰＲＢ対の個数、又は／及びii）ＰＲＢ対の位置、又は／及びiii ）仮想的セル識別子（ＩＤ）、又は／及びiv）アンテナポート設定などと定義することができる。さらに、このような設定は、流動サブフレーム集合（例えば、流動下りリンクサブフレーム集合）に対してのみ限定的に適用されるように設定することができる。
【０１２５】
これは、隣接セルが当該サブフレームをいかなる用途に用いるかによって流動サブフレーム上の干渉特性が変わりうるためである。例えば、隣接セルが当該サブフレームをいかなる用途に用いるかによって、隣接セルによる干渉（例えば、隣接セルの下りリンク／上りリンク通信から引き起こされた干渉）の種類が異なってくるか、隣接セルからの干渉が発生するリソースの位置（例えば、隣接セルが当該サブフレームを上りリンク通信に用いる場合には連続したＲＢ上で干渉が現れる）が異なってくる。
【０１２６】
また、サービングセル（Ｓｅｒｖｉｎｇ  Ｃｅｌｌ）は、上記方法を適用することによって、流動サブフレーム上の干渉特性変化に従って適応的（Ａｄａｐｔｉｖｅｌｙ）に、相対的に干渉回避に有利なＥＰＤＣＣＨセットを設定できるという長所がある。
【０１２７】
さらに、このような実施例（すなわち、特定ＥＰＤＣＣＨセットが用いられるか否かの指示）は、事前に設定された複数個のＥＰＤＣＣＨセットの有効性（Ｖａｌｉｄａｔｉｏｎ）を用途再設定メッセージ（Ｒｅｃｏｎｆｉｇｕｒａｔｉｏｎ  Ｍｅｓｓａｇｅ）と連動させることと解釈することができる。ここで、（事前に設定された複数個のＥＰＤＣＣＨセットのうちの）特定ＥＰＤＣＣＨセットの有効性は、用途再設定メッセージ上に含まれた事前に定義されたフィールド（或いは、ビット）で決定されるように設定するか、或いは、事前に定義された規則によって特定上りリンク−下りリンク（再）設定情報と連動して決定されるように設定することができる。
【０１２８】
他の例として、静的サブフレーム集合（例えば、静的下りリンクサブフレーム集合）に対しては、既存の方式（すなわち、３ＧＰＰ ＬＴＥ ｒｅｌｅａｓｅ １１を含めた以前の方式）と同様に、上位層シグナル（例えば、ＲＲＣシグナリング）で設定されたＥＰＤＣＣＨモニタリング設定（Ｍｏｎｉｔｏｒｉｎｇ  Ｃｏｎｆｉｇｕｒａｔｉｏｎ）情報に従うように設定することができる。このような場合、ＥＰＤＣＣＨモニタリング設定は、１つ或いは２つのＥＰＤＣＣＨセットで構成され、与えられたブラインドデコーディング回数を１つ或いは２つのＥＰＤＣＣＨセットで適用されるように定義することができる。このような実施例は、端末が事前に定義されたフォールバックモード動作を行う場合（例えば、用途再設定メッセージ（Ｒｅｃｏｎｆｉｇｕｒａｔｉｏｎ  Ｍｅｓｓａｇｅ）の受信失敗によってＳＩＢ上の上りリンク−下りリンク設定にフォールバックして通信を行わなければならない場合）に、ＥＰＤＣＣＨセット設定或いはＥＰＤＣＣＨモニタリング設定に対する曖昧さ（Ａｍｂｉｇｕｉｔｙ）を防止する上で有用である。また、このような実施例は、静的サブフレーム上の干渉特性が流動サブフレームの場合に比べて一定である可能性が高いことからも効果的である。
【０１２９】
また、本発明において、事前に定義されたフォーマット或いはシグナルを用いて送信ポイント（Ｔｒａｎｓｍｉｓｓｉｏｎ  Ｐｏｉｎｔ、ＴＰ）（或いは、セル（Ｃｅｌｌ））別上りリンク−下りリンク設定情報を知らせるように設定することができる。ここで、端末の送信ポイント（或いは、セル）別ＲＲＭ／ＲＬＭ／ＣＳＩ測定動作のために、送信ポイント（或いは、セル）別Ｎｏｎ−ｚｅｒｏ Ｐｏｗｅｒ ＣＳＩ−ＲＳ設定情報が（一部或いは全て）異なるように設定されてもよく、このような点を考慮して、上りリンク−下りリンク設定情報をＮｏｎ−ｚｅｒｏ Ｐｏｗｅｒ ＣＳＩ−ＲＳ設定情報別に定義することもできる。
【０１３０】
さらに、２つのＥＰＤＣＣＨセットが互いに異なる送信ポイント（或いは、セル）上にそれぞれ設定（Ｃｏｎｆｉｇｕｒａｔｉｏｎ）され、特定サブフレームの用途が送信ポイント（或いは、セル）間に互いに異なるように定義される場合（例えば、特定サブフレーム位置で、ＴＰ ＃Ａは当該サブフレームを下りリンク用途に利用し、ＴＰ ＃Ｂは当該サブフレームを上りリンク用途に用いる場合）に、当該特定サブフレーム上で端末のＥＰＤＣＣＨモニタリング動作を定義する必要がある。したがって、このような状況では、特定サブフレームの用途が下りリンクとして設定された送信ポイント（或いは、セル）とＱＣＬ（Ｑｕａｓｉ  Ｃｏ−ｌｏｃａｔｉｏｎ）されたＥＰＤＣＣＨセットのみをモニタリングするよう設定することができる。このような場合には、２つのＥＰＤＣＣＨセット間に特定集成レベル（ＡＬ）に対するブラインドデコーディング（ＢＤ）回数を区分せず、一つのＥＰＤＣＣＨセットのみが設定されたかのように見なしたうえで、（一つのＥＰＤＣＣＨセットが設定された場合に該当するブラインドデコーディング回数に基づいて）ＵＳＳ又は／及びＣＳＳに対する（端末の）ブラインドデコーディング動作を行なってもよい。
【０１３１】
また、本発明において、特定ＥＰＤＣＣＨセット設定情報（例えば、ＥＰＤＣＣＨセットを構成するＰＲＢ対の個数、又は／及びＥＰＤＣＣＨセットが設定されたＰＲＢ対の位置、又は／及びＥＰＤＣＣＨセットの個数）を、各送信ポイント（或いは、セル）の下りリンクサブフレーム／上りリンクサブフレーム組合せ（或いは、上りリンク−下りリンク設定組合せ）に対して事前にリンクさせておき、再設定メッセージ（Ｒｅｃｏｎｆｉｇｕｒａｔｉｏｎ  Ｍｅｓｓａｇｅ）から、いずれの送信ポイント（或いは、セル）が下りリンクであり、上りリンクであるかを把握すると、これにリンクされたＥＰＤＣＣＨセット設定情報によってＥＰＤＣＣＨモニタリングを行うように設定することもできる。
【０１３２】
例えば、ｉ）ＣＳＩ−ＲＳ測定（Ｍｅａｓｕｒｅｍｅｎｔ）関連設定情報、又は／及びii）干渉測定リソース（ＩＭＲ）関連設定情報、又は／及びiii ）ＰＱＩ状態（例えば、ＰＤＳＣＨリソース要素マッピングのためのＣＲＳアンテナ個数（Ｎｕｍｂｅｒ  ｏｆ  ＣＲＳ  ａｎｔｅｎｎａ  ｐｏｒｔｓ  ｆｏｒ  ＰＤＳＣＨ  ＲＥ  ｍａｐｐｉｎｇ）、ＰＤＳＣＨリソース要素マッピングのためのＣＲＳ周波数シフト（ＣＲＳ  ｆｒｅｑｕｅｎｃｙ  ｓｈｉｆｔ  ｆｏｒ  ＰＤＳＣＨ  ＲＥ  ｍａｐｐｉｎｇ）、ＰＤＳＣＨリソース要素マッピングのためのＭＢＳＦＮサブフレーム設定（ＭＢＳＦＮ  ｓｕｂｆｒａｍｅ  ｃｏｎｆｉｇｕｒａｔｉｏｎ  ｆｏｒ  ＰＤＳＣＨ  ＲＥ  ｍａｐｐｉｎｇ）、ＰＤＳＣＨリソース要素マッピングのためのＺｅｒｏ（０） Ｐｏｗｅｒ ＣＳＩ−ＲＳリソース設定（Ｚｅｒｏ  ｐｏｗｅｒ  ＣＳＩ−ＲＳ  ｒｅｓｏｕｒｃｅ  ｃｏｎｆｉｇｕｒａｔｉｏｎ  ｆｏｒ  ＰＤＳＣＨ  ＲＥ  ｍａｐｐｉｎｇ）、ＰＤＳＣＨリソース要素マッピングのためのＰＤＳＣＨ開始位置（ＰＤＳＣＨ  ｓｔａｒｔｉｎｇ  ｐｏｓｉｔｉｏｎ  ｆｏｒ  ＰＤＳＣＨ  ＲＥ  ｍａｐｐｉｎｇ）、ＰＤＳＣＨリソース要素マッピングのためのＣＳＩ−ＲＳリソース設定（ＣＳＩ−ＲＳ  ｒｅｓｏｕｒｃｅ  ｃｏｎｆｉｇｕｒａｔｉｏｎ  ｉｄｅｎｔｉｔｙ  ｆｏｒ  ＰＤＳＣＨ  ＲＥ  ｍａｐｐｉｎｇ））解釈（Ｉｎｔｅｒｐｒｅｔａｔｉｏｎ）関連設定情報などを、各送信ポイント（或いは、セル）の下りリンクサブフレーム／上りリンクサブフレーム組合せ（或いは、上りリンク−下りリンク設定組合せ）に対して事前にリンク（Ｌｉｎｋ）させておき、再設定メッセージ（Ｒｅｃｏｎｆｉｇｕｒａｔｉｏｎ  Ｍｅｓｓａｇｅ）から、いずれの送信ポイント（或いは、セル）が下りリンクであり、上りリンクであるかを把握すると、これにリンクした設定情報に従うように設定することができる。さらに、このような方式は、特定サブフレームタイプ（例えば、流動サブフレームタイプ）でのみ限定的に適用されるように設定することもできる。
【０１３３】
本発明のさらに他の実施例として、搬送波集成（ＣＡ）技法が適用された環境下で特定セル（或いは、コンポーネントキャリア）上の無線リソース用途を動的に変更する場合、用途変更された上りリンクサブフレーム上で送信される制御チャネル（例えば、ＥＰＤＣＣＨ或いはＰＤＣＣＨ）からのクロス−キャリアスケジューリング（Ｃｒｏｓｓ  Ｃａｒｒｉｅｒ  Ｓｃｈｅｄｕｌｉｎｇ：ＣＣＳ）動作が支援されないように設定することができる。このような設定は、用途変更された上りリンクサブフレーム上で受信される干渉属性（或いは、干渉強度）が一定しておらず、安定したＣＣＳ動作を保障できない場合、或いは特定サブフレームの用途を下りリンク目的に静的（或いは、半静的）に維持できない場合に効果的である。例えば、用途変更された上りリンクサブフレーム上で制御チャネルからのＣＣＳが支援されない場合、特定セルの既存の下りリンクサブフレーム（或いは、固定された用途の下りリンクサブフレーム）上で送信される制御チャネル（例えば、ＥＰＤＣＣＨ或いはＰＤＣＣＨ）からのＣＣＳ動作は支援されるが、当該セルの用途変更された上りリンクサブフレームでのみＣＣＳ動作が支援されなくてもよい。
【０１３４】
また、本発明によって用途変更された上りリンクサブフレーム（或いは、動的な用途変更動作に基づいて下りリンク用途に設定されたサブフレーム）上で送信される制御チャネル（例えば、ＥＰＤＣＣＨ或いはＰＤＣＣＨ）からのＣＣＳ動作が支援されないように設定される場合、当該用途変更された上りリンクサブフレーム（或いは、動的な用途変更動作に基づいて下りリンク用途に設定されたサブフレーム）上ではセルフ−スケジューリング（Ｓｅｌｆ  Ｓｃｈｅｄｕｌｉｎｇ）技法で自動転換がなされるように設定することもできる。例えば、セルは端末に、事前に定義されたシグナル（例えば、物理層或いは上位層シグナル）を用いて、上記設定の適用の有無或いは当該設定が適用されるサブフレームの位置（時点）に関する情報を知らせたり、或いは事前に定義された規則に基づいて端末が暗黙的にこのような情報を把握するように設定することができる。
【０１３５】
本発明のさらに他の実施例として、ＥＰＤＣＣＨセットに対するＱＣＬ （Ｑｕａｓｉ  Ｃｏ−ｌｏｃａｔｉｏｎ）仮定がサブフレームタイプによって異なるように定義されるように設定することもできる。ここで、サブフレームタイプは、既存の下りリンクサブフレームタイプと用途変更された上りリンクサブフレームタイプとに区分したり、或いは、ＳＩＢ上の下りリンクサブフレームタイプと、ＳＩＢ上には（既存）上りリンクサブフレームであるか、用途変更されて下りリンク通信用途に用いられるサブフレームタイプとに区分することができる。
【０１３６】
例えば、静的に下りリンク用途に用いられるサブフレームではチャネル状態情報（ＣＳＩ）（或いは、チャネル状態）が安定していることから、ＣｏＭＰ動作が適用されてもよいが、動的に用途が変更されるサブフレームではＣｏＭＰのような動作を適用し難いため、サービングセル（或いは、サービング送信ポイント）のみからＥＰＤＣＣＨが送信（或いは、受信）されるように設定することができる。このため、それぞれのサブフレームタイプ別にＥＰＤＣＣＨセットに対するＱＣＬ仮定を異なるように定義したり、或いは、それぞれのサブフレームタイプ別にＥＰＤＣＣＨセットに対するＱＣＬ仮定を独立して定義することができる。
【０１３７】
また、サブフレームタイプ別に送信される参照信号の種類が互いに異なりうることから、それぞれのサブフレームタイプ別にＥＰＤＣＣＨセットに対するＱＣＬ仮定を異なるように定義したり、或いは、それぞれのサブフレームタイプ別にＥＰＤＣＣＨセットに対するＱＣＬ仮定を独立して定義することもできる。例えば、用途変更された上りリンクサブフレームでは特定参照信号（例えば、ＣＲＳ或いはＣＳＩ−ＲＳ）が送信されなくてもよいことから、それぞれのサブフレームタイプ別にＥＰＤＣＣＨセットに対するＱＣＬ仮定を異なるように或いは独立して定義することができる。さらに、セルは端末に、事前に定義されたシグナル（例えば、物理層或いは上位層シグナル）を用いて、サブフレームタイプ別に互いに異なる（或いは、独立した）ＱＣＬ仮定などに関する情報を知らせたり、或いは、事前に定義された設定に基づいて端末が暗黙的にこのような情報を把握するように設定することができる。
【０１３８】
本発明のさらに他の実施例として、たとえ流動サブフレーム（Ｆｌｅｘｉｂｌｅ  Ｓｕｂｆｒａｍｅ）がＥＤＰＣＣＨモニタリングサブフレームとして指定されても、当該流動サブフレームが実際に下りリンク用途に（再）設定された場合にのみ（端末が）ＥＰＤＣＣＨモニタリング動作を実際に行うように規則を定義することもできる。
【０１３９】
上述した本発明の実施例、具現方法、或いは提案方式はそれぞれ独立して実施されてもよいが、上述した本発明の少なくとも一つの実施例の組合せ或いは全実施例の組合せで実施される場合も、本発明で目的とする技術的課題解決範囲に含まれることは明らかである。
【０１４０】
また、上述した本発明の実施例において、端末がサブフレーム設定（Ｓｕｂｆｒａｍｅ  Ｃｏｎｆｉｇｕｒａｔｉｏｎ）を確認し、いかなる設定／規則が適用されるかを暗黙的に決定してもよいが、明示的なシグナリング（Ｅｘｐｌｉｃｉｔ  Ｓｉｇｎａｌｉｎｇ）によってサブフレームタイプを区分するように設定されてもよい。
【０１４１】
さらに、上述した本発明の実施例は、無線リソース用途の動的変更モードが設定された場合にのみ限定的に適用されるように設定したり、特定サブフレームタイプでのみ限定的に適用されるように設定することもできる。
【０１４２】
上述した本発明の実施例に係る設定又は／及びその設定の適用有無に関する情報を、基地局が端末に、事前に定義されたシグナル（例えば、物理層シグナル或いは上位層シグナル）を用いて知らせるように設定することもできる。
【０１４３】
さらに、上述した本発明の実施例は、ＳＩＢ上の上りリンクサブフレームが再設定メッセージ（Ｒｅｃｏｎｆｉｇｕｒａｔｉｏｎ  ｍｅｓｓａｇｅ）によって下りリンク用途に再設定された場合（すなわち、動的下りリンクサブフレーム、Ｆｌｅｘｉｂｌｅ  Ｄｏｗｎｌｉｎｋ  ｓｕｂｆｒａｍｅ）、当該サブフレーム（すなわち、動的下りリンクサブフレーム）上でＭＢＳＦＮが設定された場合にも拡張して適用することができる。
【０１４４】
図１０は、本発明の好適な一実施例に係る下りリンク制御チャネルモニタリング方法を示す図である。
【０１４５】
図１０を参照すると、端末（ＵＥ）は 基地局（ＢＳ）から制御チャネル（例えば、ＰＤＣＣＨ或いはＥＰＤＣＣＨ）をモニタリングするための情報を受信し、受信した情報に基づいて下りリンク制御情報を検出（すなわち、モニタリング／ブラインドデコーディング）することができる。
【０１４６】
すなわち、図１０のステップＳ１００１で、端末は基地局から前述の本発明の一実施例に係るモニタリング情報を受信することができる。Ｓ１００１で、端末が下りリンク制御情報を検出するための情報／設定／規則などは、上述した本発明の実施例で説明したとおりに決定することができ、場合によっては、上述した本発明の実施例の少なくとも一部の組合せで決定することもできる。
【０１４７】
図１０と関連して説明した本発明の下りリンク制御チャネルモニタリング方法において、前述した本発明の様々な実施例で説明した事項が独立して適用されてもよく、２つ以上の実施例が同時に適用されてもよいが、重複する内容は、明確性のために説明を省略する。
【０１４８】
図１１は、本発明の実施例に適用可能な基地局及びユーザ機器を例示する図である。無線通信システムにリレーが含まれる場合、バックホールリンクでは基地局とリレー間に通信がなされ、アクセスリンクではリレーとユーザ機器間に通信がなされる。したがって、図中の基地局又はユーザ機器は、状況に応じてリレーに取り替えることができる。
【０１４９】
図１１を参照すると、無線通信システムは、基地局（ＢＳ）１１０及びユーザ機器（ＵＥ）１２０を備える。基地局１１０は、プロセッサ１１２、メモリ１１４及び無線周波数（Ｒａｄｉｏ  Ｆｒｅｑｕｅｎｃｙ、ＲＦ）ユニット１１６を備える。プロセッサ１１２は、本発明で提案した手順及び／又は方法を具現するように構成することができる。メモリ１１４は、プロセッサ１１２と接続され、プロセッサ１１２の動作と関連した様々な情報を記憶する。ＲＦユニット１１６は、プロセッサ１１２と接続され、無線信号を送信及び／又は受信する。ユーザ機器１２０は、プロセッサ１２２、メモリ１２４及びＲＦユニット１２６を備える。プロセッサ１２２は、本発明で提案した手順及び／又は方法を具現するように構成することができる。メモリ１２４は、プロセッサ１２２と接続され、プロセッサ１２２の動作と関連した様々な情報を記憶する。ＲＦユニット１２６は、プロセッサ１２２と接続され、無線信号を送信及び／又は受信する。基地局１１０及び／又はユーザ機器１２０は、単一アンテナ又は多重アンテナを有することができる。
【０１５０】
以上に説明した実施例は、本発明の構成要素と特徴を所定の形態で結合したものである。各構成要素又は特徴は、別の明示的な言及がない限り、選択的なものとして考慮しなければならない。各構成要素又は特徴は、他の構成要素や特徴と結合していない形態で実施することができる。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、他の実施例の対応する構成又は特徴に取って代わってもよい。特許請求の範囲で明示的な引用関係にない請求項を結合して実施例を構成したり、出願後の補正によって新しい請求項として含めたりできることは明らかである。
【０１５１】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１５２】
ファームウェアやソフトウェアによる具現の場合、本発明の一実施例は、以上で説明した機能又は動作を実行するモジュール、手順、関数などの形態として具現することができる。ソフトウェアコードはメモリユニットに記憶され、プロセッサによって駆動されてもよい。メモリユニットは、プロセッサの内部又は外部に設けられ、既に公知の様々な手段によってプロセッサとデータを交換することができる。
【０１５３】
本発明は、本発明の特徴から逸脱しない範囲で他の特定の形態として具体化されてもよいことは当業者には自明である。このため、上記の詳細な説明は、いずれの面においても制限的に解釈されてはならず、例示的なものとして考慮されなければならない。本発明の範囲は、添付した請求項の合理的な解釈によって決定されなければならず、本発明の等価的な範囲内における変更はいずれも本発明の範囲に含まれる。
【産業上の利用可能性】
【０１５４】
上述したような無線通信システムにおいて下りリンク制御チャネルをモニタリングする方法及びそのための装置は、３ＧＰＰ ＬＴＥシステムに適用される例を中心に説明したが、３ＧＰＰ ＬＴＥシステムの他にも、様々な無線通信システムに適用することができる。
【図１】
0006437449.tif 000004
【図２】
0006437449.tif 000005
【図３】
0006437449.tif 000006
【図４】
0006437449.tif 000007
【図５】
0006437449.tif 000008
【図６】
0006437449.tif 000009
【図７】
0006437449.tif 000010
【図８】
0006437449.tif 000011
【図９】
0006437449.tif 000012
【図１０】
0006437449.tif 000013
【図１１】
0006437449.tif 000014